(57)【要約】【課題】医療装置等に呈示される医療情報を自動的にかつ正確に取得して記録することが可能な医療情報システムを提供する。【解決手段】医療装置１０００の情報呈示部１１００には、文字列情報やグラフ情報等の医療情報が提示される。この情報呈示部１１００にシート型スキャナ１を貼付し、呈示される医療情報を読み取る。読み取られた医療情報はスキャナ制御部２に送られ、２次元画像データとして情報処理部３に入力される。情報処理部３は、入力された２次元画像データを解析して所定のデータ形式に変換するとともに、情報記録部４に送って記録させる。【選択図】図１
2007179339.tif 000002
【特許請求の範囲】
【請求項１】
医療情報を呈示する情報呈示部を有する医療装置又は医療部材の前記情報呈示部に貼付されて前記呈示された医療情報を読み取るシート状の読取部を有する読取手段と、
該読取手段により読み取られた医療情報を所定のデータ形式に変換する情報処理手段と、
該情報処理手段によりデータ形式が変換された医療情報を記録する記録手段と、
を備えることを特徴とする医療情報システム。
【請求項２】
前記情報呈示部は、前記医療装置が備える表示部の表示画面である、
ことを特徴とする請求項１に記載の医療情報システム。
【請求項３】
前記シート状の読取部は、
切欠部を有する透明又は半透明のフィルム部材と、
前記切欠部に嵌め込まれ、前記表示画面に表示された医療情報を読み取るシート型スキャナと、
前記フィルム部材及び前記シート型スキャナの片面に一方の面が接合され、他方の面が前記表示画面に貼付される透明又は半透明のフィルム状の貼付部材と、
を含んでいる、
ことを特徴とする請求項２に記載の医療情報システム。
【請求項４】
前記シート状の読取部は、
透明又は半透明のフィルム部材と、
該フィルム部材の片面に一方の面がそれぞれ接合され、前記表示画面から出力される光を検出する複数のフィルム状の光センサと、
該複数のフィルム状の光センサのそれぞれの他方の面に一方の面が接合され、他方の面が前記表示部の表示画面に貼付される透明又は半透明のフィルム状の貼付部材と、
を含んでいる、
ことを特徴とする請求項２に記載の医療情報システム。
【請求項５】
前記表示部は、バックライト側にのみ偏光板を有する液晶ディスプレイであり、
前記シート状の読取部は、
透明又は半透明の偏光フィルムと、
該偏光フィルムの片面に一方の面がそれぞれ接合され、前記表示画面から出力される光を検出する複数のフィルム状の光センサと、
該複数のフィルム状の光センサのそれぞれの他方の面に一方の面が接合され、他方の面が前記液晶ディスプレイの表示画面に貼付される透明又は半透明のフィルム状の貼付部材と、
を含み、
当該読取部は、その偏光フィルムの偏光軸と、前記液晶ディスプレイの前記偏光板の偏光軸とが同じ方向になるように、前記表示画面に貼付される、
ことを特徴とする請求項２に記載の医療情報システム。
【請求項６】
前記表示部は、バックライト側及び表示画面側の双方に偏光板を有する液晶ディスプレイであり、
前記シート状の読取部は、
透明又は半透明のフィルム部材と、
該フィルム部材の片面に、それぞれの偏光軸が同じ方向を向くようにして一方の面が接合された複数の透明又は半透明の偏光フィルムと、
該偏光フィルムと略等しいサイズに形成され、前記複数の偏光フィルムのそれぞれの他方の面に一方の面が接合され、前記表示画面から出力される光を検出する複数のフィルム状の光センサと、
該複数のフィルム状の光センサのそれぞれの他方の面に一方の面が接合され、他方の面が前記液晶ディスプレイの表示画面に貼付される透明又は半透明のフィルム状の貼付部材と、
を含み、
当該読取部は、前記複数の偏光フィルムの偏光軸と、前記液晶ディスプレイの表示画面側の偏光板の偏光軸とが同じ方向になるように、前記表示画面に貼付される、
ことを特徴とする請求項２に記載の医療情報システム。
【請求項７】
前記表示部は、バックライト側及び表示画面側の双方に偏光板を有する液晶ディスプレイであり、
前記シート状の読取部は、
透明又は半透明のフィルム部材と、
該フィルム部材の片面に一方の面がそれぞれ接合され、前記表示画面から出力される光を検出する複数のフィルム状の光センサと、
該フィルム状の光センサと略等しいサイズに形成され、前記複数のフィルム状の光センサのそれぞれの他方の面に、それぞれの偏光軸が同じ方向を向くようにして一方の面が接合された複数の透明又は半透明の偏光フィルムと、
該複数の偏光フィルムのそれぞれの他方の面に一方の面が接合され、他方の面が前記液晶ディスプレイの表示画面に貼付される透明又は半透明のフィルム状の貼付部材と、
を含み、
当該読取部は、前記複数の偏光フィルムの偏光軸と、前記液晶ディスプレイの表示画面側の偏光板の偏光軸とが同じ方向になるように、前記表示画面に貼付される、
ことを特徴とする請求項２に記載の医療情報システム。
【請求項８】
前記シート状の読取部は、前記表示画面に着脱自在とされる、
ことを特徴とする請求項２〜請求項７のいずれか一項に記載の医療情報システム。
【請求項９】
前記医療装置の前記表示部により表示される医療情報は文字列情報であり、
前記読取手段は、前記シート状の読取部で読み取った文字列情報を２次元画像データとして出力し、
前記情報処理手段は、
文字の２次元画像データと、前記所定のデータ形式における当該文字の文字データとを関連付ける文字関連情報をあらかじめ記憶する記憶部と、
前記読取手段から文字列情報の２次元画像データが入力されたときに、当該文字列情報に含まれる文字の２次元画像データに関連付けられた文字データを前記文字関連情報から検索することにより、当該文字列情報を前記所定のデータ形式に変換する文字変換部と、
を備える、
ことを特徴とする請求項２に記載の医療情報システム。
【請求項１０】
表示手段及び操作手段を更に備え、
前記情報処理手段は、
前記文字変換部により当該文字の２次元画像データに関連付けられた文字データが検索されなかったときに、該検索されなかったことを示す所定の文字データを前記表示手段に表示させる表示制御部と、
ユーザが、前記操作手段を操作して、前記表示された所定の文字データを他の文字データに書き換えたことに対応して、当該文字の２次元画像データと該他の文字データとを関連付ける文字関連情報を新たに作成して前記記憶部に記憶する文字関連情報作成部と、
を備える、
ことを特徴とする請求項９に記載の医療情報システム。
【請求項１１】
所定の警告情報を出力する警告出力手段を更に備え、
前記文字列情報は、数値で表される患者の生体情報であり、
前記記憶部には、前記生体情報の範囲を示す閾値情報があらかじめ記憶されており、
前記情報処理部は、前記文字変換部により変換された当該生体情報の数値が前記閾値情報に示す範囲に含まれているか否か判断し、含まれていないと前記判断されたときに前記警告出力手段を制御して前記所定の警告情報を出力させる、
ことを特徴とする請求項９に記載の医療情報システム。
【請求項１２】
前記医療装置の前記表示部により表示される医療情報は文字列情報であり、
前記シート状の読取部の情報読取面には、あらかじめ２次元座標系が定義されており、前記読取手段は、前記表示された文字列情報を前記シート状の読取部で読み取って２次元画像データとして出力し、
前記情報処理手段は、
前記表示される文字列情報を識別する識別情報と、当該文字列情報に含まれる文字の前記読取部による読取位置を示す前記２次元座標系の座標値とを関連付ける関連情報をあらかじめ記憶する記憶部と、
前記読取手段から文字列情報の２次元画像データが入力されたときに、当該文字列情報に含まれる文字について、当該文字の前記読取位置を示す座標値に関連付けられた前記識別情報を検索し、該検索された識別情報によって当該文字を識別することにより、当該文字列情報を前記所定のデータ形式に変換する変換処理部と、
を備える、
ことを特徴とする請求項２に記載の医療情報システム。
【請求項１３】
前記関連情報は、前記表示される文字列情報に含まれる文字の個数を示す文字数情報を前記識別情報に関連付け、
前記変換処理部は、前記識別情報に関連付けられた文字数情報に基づいて当該文字列情報を形成する文字の個数を認識することにより、当該文字列情報を前記所定のデータ形式に変換する、
ことを特徴とする請求項１２に記載の医療情報システム。
【請求項１４】
前記医療装置は、患者の心拍数及び／又は血圧値を前記文字列情報として表示する前記表示部を備えた心電計である、
ことを特徴とする請求項９〜請求項１３のいずれか一項に記載の医療情報システム。
【請求項１５】
前記表示部により表示される医療情報は、時間経過に伴う物理量の値の変化を振幅の変化で表すグラフ情報であり、
前記読取手段は、前記表示されるグラフ情報を前記シート状の読取部で読み取って２次元画像データとして出力し、
前記情報処理手段は、前記読取手段から入力されたグラフ情報の２次元画像データを、前記物理量の値の時間変化を示すデータ列を含んだ前記所定のデータ形式に変換する、
ことを特徴とする請求項２に記載の医療情報システム。
【請求項１６】
前記情報処理手段は、
前記グラフ情報の２次元画像データの振幅方向のピクセル数と前記物理量の値とを関連付ける関連情報をあらかじめ記憶する記憶部と、
前記読取手段から前記グラフ情報の２次元画像データが入力されたときに、当該２次元画像データの複数の時間位置のそれぞれについて、当該時間位置における当該グラフ情報の振幅に対応するピクセル数を、前記関連情報を参照して前記物理量の値に変換することにより前記データ列を作成する変換処理部と、
を備える、
ことを特徴とする請求項１５に記載の医療情報システム。
【請求項１７】
前記複数の時間位置は、少なくとも前記所定の時間間隔に対応する前記グラフ情報の２次元画像データの一部領域に含まれるようにあらかじめ設定されており、
前記読取手段は、前記表示されるグラフ情報を前記シート状の読取部により所定の時間間隔で読み取って２次元画像データとして順次に出力し、
前記変換処理部は、前記読取手段から連続して入力される第１及び第２のグラフ情報の２次元画像データのそれぞれの前記一部領域を連結するとともに、それぞれの前記一部領域について、前記複数の時間位置のそれぞれにおける前記振幅に対応するピクセル数を前記物理量の値に変換することにより前記データ列を作成する、
ことを特徴とする請求項１６に記載の医療情報システム。
【請求項１８】
前記医療装置は、前記物理量を検出する検出手段を備えており、
前記変換処理部は、前記物理量の値が前記検出された時刻を算出する時刻算出部を備え、当該物理量の値と当該算出された時刻とを関連付けて前記データ列を作成する、
ことを特徴とする請求項１５に記載の医療情報システム。
【請求項１９】
前記記憶部は、前記グラフ情報の２次元画像データに指定された時間軸方向の基準位置と、前記医療装置の前記検出手段により物理量が検出されてから前記表示部に前記グラフ情報が表示されるまでの遅延時間とをあらかじめ記憶しており、
前記時刻算出部は、当該２次元画像データの時間軸方向のピクセル間隔に対応する単位時間を算出するとともに、該算出された単位時間と、前記記憶された基準位置及び遅延時間と、当該物理量の値が得られた時間位置及び前記基準位置の間のピクセル数とに基づいて、当該物理量の値が前記検出された時刻を算出する、
ことを特徴とする請求項１８に記載の医療情報システム。
【請求項２０】
前記医療装置は、患者の心電図グラフを前記グラフ情報として表示する前記表示部を備えた心電計である、
ことを特徴とする請求項１５〜請求項１９のいずれか一項に記載の医療情報システム。
【請求項２１】
前記医療部材は、患者に投与される薬剤が充填され、該充填された薬剤の液面位置を前記医療情報として呈示する透明又は半透明の側面を前記情報呈示部として有する薬剤充填部材であり、
前記読取手段の前記シート状の読取部は、前記薬剤充填部材の前記側面に貼付され、前記側面に呈示される前記薬剤の液面位置を読み取る、
ことを特徴とする請求項１に記載の医療情報システム。
【請求項２２】
所定の警告情報を出力する警告出力手段を更に備え、
前記情報処理手段は、前記読取手段により読み取られた前記薬剤の液面位置が所定の位置に到達したときに、前記警告出力手段を制御して前記所定の警告情報を出力させる、
ことを特徴とする請求項２１に記載の医療情報システム。
【請求項２３】
所定の警告情報を出力する警告出力手段を更に備え、
前記情報処理手段は、
前記薬剤の投与速度の範囲を示す閾値情報をあらかじめ記憶する記憶部と、
前記読取手段により読み取られた前記薬剤の液面位置に基づいて、前記薬剤の投与速度を算出し、該算出された投与速度が前記閾値情報に示す範囲に含まれているか否か判断する投与速度処理部とを備え、
該投与速度処理部により、前記算出された投与速度が前記範囲に含まれていないと判断されたときに、前記警告出力手段を制御して前記所定の警告情報を出力させる、
ことを特徴とする請求項２１に記載の医療情報システム。
【請求項２４】
医療情報を呈示する情報呈示部を有する医療装置又は医療部材の前記情報呈示部に貼付されて前記呈示された医療情報を読み取るシート状の読取部を有する読取手段と、
所定の警告情報を出力する警告出力手段と、
前記読取手段により読み取られた医療情報を所定のデータ形式に変換し、該所定のデータ形式に変換された医療情報に基づいて前記警告出力手段を制御して前記所定の警告情報を出力させる情報処理手段と、
を備えることを特徴とする医療情報システム。
【請求項２５】
医療情報を呈示する情報呈示部を有する医療装置又は医療部材の前記情報呈示部に貼付されて前記呈示された医療情報を読み取るシート状の読取部を有する読取手段、及び、医療情報を記録する記録手段にそれぞれ接続されたコンピュータを、
前記読取手段により読み取られた医療情報を所定のデータ形式に変換する情報処理手段、及び、
該情報処理手段によりデータ形式が変換された医療情報を記録手段に記録させる記録制御手段として機能させる、
ことを特徴とする医療情報処理プログラム。
【請求項２６】
医療情報を呈示する情報呈示部を有する医療装置又は医療部材の前記情報呈示部に貼付されて前記呈示された医療情報を読み取るシート状の読取部を有する読取手段、及び、所定の警告情報を出力する警告出力手段にそれぞれ接続されたコンピュータを、
前記読取手段により読み取られた医療情報を所定のデータ形式に変換し、該所定のデータ形式に変換された医療情報に基づいて前記警告出力手段を制御して前記所定の警告情報を出力させる情報処理手段として機能させる、
ことを特徴とする医療情報処理プログラム。
【発明の詳細な説明】
【技術分野】
【０００１】
本発明は、たとえば手術室や集中治療室等の医療現場において使用される、患者の生体情報（バイタル）をモニタする装置や、患者に薬剤を投与する部材や装置などの各種の医療装置若しくは医療部材から情報を取得するとともに、その取得した情報を記録する機能や、その情報に基づいて警告を出力する機能を有する医療情報システム、及び、そのような機能をコンピュータに実行させる医療情報処理プログラムに関するものである。
【背景技術】
【０００２】
手術等の医療行為を行う場合には、一般に、医師や看護士等によりその医療行為の詳細が文書として記録され、カルテに添付して保管される。この記録文書には、医療行為中に各種医療装置（たとえば心電計等）から出力されたデータや写真など添付されることがある。この記録文書は、医療行為を行った後で、その医療行為の手順や内容を検証するときや再現しようとするときに参照される。
【０００３】
従来、この記録文書は、医師や看護士等が医療行為中にノート等に手書きで記録した情報を基に作成されていた。そのため、医療装置に表示等された情報を読み間違えて記録してしまうことや、誤ったデータを記録してしまうことなどがあった。また、記録者が医療行為に不慣れであり、どの情報を優先的に記録すべきかを認識できずに、重要な情報を書き漏らしてしまうこともあった。更に、医療行為を行うときに、常に記録者を準備しておくことは事実上困難であった。
【０００４】
しかし、以上のような原因により不備な記録文書が作成された場合、医療行為の検証や再現における正確性の低下は避けられず、また場合によっては医療事故に繋がるおそれすらあった。
【０００５】
このような事態の発生を防止するために、近年では、医療行為をビデオカメラで撮影し、その撮影画像を参照して記録文書を作成するといったことも行われている（たとえば特許文献１参照）。たとえば、手術室内にビデオカメラを設置し、心電計の表示ディスプレイ等を撮影することにより、その表示内容（心電図グラフ、心拍数、血圧値等）を記録することがある。
【０００６】
しかしながら、手術室等の医療現場には、限られたスペースに様々な医療装置や医療部材が配置されており、また、医師やスタッフが位置を移動することも多々あるので、ビデオカメラを設置できなかったり、設置できたとしても邪魔になってしまったりといった問題が発生することがある。
【０００７】
【特許文献１】特開２００４−２８０４５５号公報
【発明の開示】
【発明が解決しようとする課題】
【０００８】
本発明は、以上のような問題を解決するために為されたもので、患者に医療行為を施す医療装置や医療部材によって呈示される医療情報を自動的にかつ正確に取得して記録することが可能な医療情報システム及び医療情報処理プログラムを提供することを目的とする。
【０００９】
また、本発明は、患者に医療行為を施す医療装置や医療部材によって呈示される医療情報を自動的にかつ正確に取得するとともに、取得された情報に基づいて適宜に警報を出力することが可能な医療情報システム及び医療情報処理プログラムを提供することを他の目的とするものである。
【課題を解決するための手段】
【００１０】
上記目的を達成するために、請求項１に記載の発明は、医療情報を呈示する情報呈示部を有する医療装置又は医療部材の前記情報呈示部に貼付されて前記呈示された医療情報を読み取るシート状の読取部を有する読取手段と、該読取手段により読み取られた医療情報を所定のデータ形式に変換する情報処理手段と、該情報処理手段によりデータ形式が変換された医療情報を記録する記録手段と、を備えることを特徴とする医療情報システムである。
【００１１】
ここで、シート状の読取部を有する読取手段としては、特開２００５−１５０１４６号公報や、インターネットのホームページｈｔｔｐ：／／ｗｗｗ．ｎｔｅｃｈ．ｔ．ｕ―ｔｏｋｙｏ．ａｃ．ｊｐ／Ｒｅｓｅａｒｃｈ／Ｒｅｓｅａｒｃｈ＿ｐｒｏｊｅｃｔ／Ｒｅｓｅａｒｃｈ＿ｐｒｏｊｅｃｔ＿ｌａｒｇｅ＿ａｒｅａ＿ｅｌｅｃｔｒｏｎｉｃｓ／Ｒｅｓｅａｒｃｈ＿ｐｒｏｊｅｃｔ＿ｌａｒｇｅ＿ａｒｅａ＿ｅｌｅｃｔｒｏｎｉｃｓ．ｈｔｍｌなどに開示されている「シート型スキャナ（フレキシブル検知装置）」を適用することができる（その適用形態については後述する）。
【００１２】
また、上記目的を達成するために、請求項２４に記載の発明は、医療情報を呈示する情報呈示部を有する医療装置又は医療部材の前記情報呈示部に貼付されて前記呈示された医療情報を読み取るシート状の読取部を有する読取手段と、所定の警告情報を出力する警告出力手段と、前記読取手段により読み取られた医療情報を所定のデータ形式に変換し、該所定のデータ形式に変換された医療情報に基づいて前記警告出力手段を制御して前記所定の警告情報を出力させる情報処理手段と、を備えることを特徴とする医療情報システムである。
【００１３】
また、上記目的を達成するために、請求項２５に記載の発明は、医療情報を呈示する情報呈示部を有する医療装置又は医療部材の前記情報呈示部に貼付されて前記呈示された医療情報を読み取るシート状の読取部を有する読取手段、及び、医療情報を記録する記録手段にそれぞれ接続されたコンピュータを、前記読取手段により読み取られた医療情報を所定のデータ形式に変換する情報処理手段、及び、該情報処理手段によりデータ形式が変換された医療情報を記録手段に記録させる記録制御手段として機能させる、ことを特徴とする医療情報処理プログラムである。
【００１４】
また、上記目的を達成するために、請求項２６に記載の発明は、医療情報を呈示する情報呈示部を有する医療装置又は医療部材の前記情報呈示部に貼付されて前記呈示された医療情報を読み取るシート状の読取部を有する読取手段、及び、所定の警告情報を出力する警告出力手段にそれぞれ接続されたコンピュータを、前記読取手段により読み取られた医療情報を所定のデータ形式に変換し、該所定のデータ形式に変換された医療情報に基づいて前記警告出力手段を制御して前記所定の警告情報を出力させる情報処理手段として機能させる、ことを特徴とする医療情報処理プログラムである。
【発明の効果】
【００１５】
本発明によれば、患者に医療行為を施す医療装置や医療部材の情報呈示部に貼付されたシート状の読取部によって医療情報を読み取り、その読み取られた医療情報を所定のデータ形式に変換して記録手段に記録するように構成されているので、医療装置や医療部材によって呈示される医療情報を自動的にかつ正確に取得して記録することが可能である。
【００１６】
また、本発明によれば、医療装置又は医療部材の情報呈示部に貼付されたシート状の読取部によって医療情報を読み取るとともに、その読み取られた医療情報を所定のデータ形式に変換し、その変換された医療情報に基づいて所定の警告情報を出力させるように構成されているので、医療装置や医療部材によって呈示される医療情報を自動的にかつ正確に取得するとともに、その取得された情報に基づいて適宜に警報を出力することが可能である。
【発明を実施するための最良の形態】
【００１７】
本発明に係る医療情報システム及び医療情報処理プログラムの好適な実施形態の一例について、図面を参照しながら詳細に説明する。本発明に係る医療情報システムは、手術室や集中治療室等の医療現場において使用される各種の医療装置や医療部材が呈示する医療情報を自動的にかつ正確に取得するとともに、その取得した医療情報を記録したり、その医療情報に基づいて警告を発したりする機能を具備している。また、本発明に係る医療情報処理プログラムは、そのような機能をコンピュータに実行させるためのものである。
【００１８】
本発明による医療情報の取得対象となる医療装置としては、たとえば、心電計、麻酔モニタなど患者の生体情報をモニタするための医療装置や、患者に薬剤を自動投与する薬剤投与装置などがある。
【００１９】
また、医療情報の取得対象となる医療部材（医療分野で用いられる各種部材）としては、たとえば、患者に投与される薬剤が充填された輸液バッグ、輸液ボトル、点滴バッグ等の薬剤充填部材がある。
【００２０】
［医療情報システム］
〔システム構成の概要〕
図１は、本発明に係る医療情報システムの概略構成の一例を表している。この医療情報システムは、シート型スキャナ１、スキャナ制御部２、情報処理部３、情報記録部４及びテスト信号発生部５を含んで構成されている。
【００２１】
シート型スキャナ１とスキャナ制御部２は、ケーブル１Ａを通じて接続されている。なお、シート型スキャナ１とスキャナ制御部２に無線送受信部を設けて無線通信するように構成してもよい。このシート型スキャナ１とスキャナ制御部２は、本発明の「読取手段」の一例に相当する。
【００２２】
シート型スキャナ１は、本発明の「シート状の読取部」の一例に相当し、医療装置（又は医療部材）１０００の情報呈示部１１００の少なくとも一部に貼付される。この情報呈示部１１００には各種の医療情報が呈示され、その呈示された医療情報がシート型スキャナ１によって読み取られる。
【００２３】
たとえば医療装置１０００が心電計である場合、情報呈示部１１００は、患者名、患者ＩＤ、心拍数、心電図（グラフ）等の医療情報を表示するディスプレイの表示画面により構成される。また、医療装置１０００が麻酔モニタである場合、患者名、患者ＩＤ、動脈血酸素飽和度、脈拍数、二酸化炭素濃度、吸入麻酔薬濃度、呼吸数、心電図、心拍数、血圧、体温等の医療情報を表示するディスプレイの表示画面により構成される。
【００２４】
なお、医療情報を表示するディスプレイとしては、液晶ディスプレイ（ＬＣＤ）、ブラウン管ディスプレイ（ＣＲＴ）、プラズマディスプレイ（ＰＤＰ）、ＥＬ（ｅｌｅｃｔｒｏｌｕｍｉｎｅｓｃｅｎｃｅ）ディスプレイ、表面電界ディスプレイ（ＳＥＤ）、電界放出ディスプレイ（ＦＥＤ）などの任意の形態の表示装置を用いることができる。
【００２５】
また、医療部材１０００がたとえば輸液バッグや輸液ボトルである場合、情報呈示部１１００は、薬剤が充填された透明又は半透明のバッグないしはボトルの表面により構成される。薬剤の投与が進むにつれて、この情報呈示部１１００には薬剤の残量（液面の位置）からなる医療情報が呈示される。また、液面の位置の移動速度は、薬剤の投与速度（投与レート）を示す医療情報と考えることができる。
【００２６】
スキャナ制御部２は、シート型スキャナ１による読み取り処理を制御するとともに、読み取られた情報を受信して情報処理部３に入力する処理を行う。このスキャナ制御部２は、たとえば、シート型スキャナ１を駆動する駆動回路、マイクロプロセッサ、メモリ等を含んで構成される。スキャナ制御部２は、情報処理部３と有線方式又は無線方式で通信可能に構成されている。
【００２７】
情報処理部３は、この医療情報システムの各部の制御を行うとともに、後述する各種の演算処理を実行する。この情報処理部３は、たとえば、マイクロプロセッサ、ＲＡＭ等のメモリ、ＲＯＭ、ハードディスクドライブ等を有するコンピュータにより構成される。なお、このコンピュータのハードディスクドライブなどには、所定のコンピュータプログラムがあらかじめ格納されている。マイクロプロセッサは、このコンピュータプログラムをメモリに展開することにより、本実施形態に特徴的な動作の制御を実行する。このコンピュータプログラムは、本発明の「医療情報処理プログラム」の一例に相当する。また、情報処理部３は、本発明の「情報処理手段」の一例に相当するものである。
【００２８】
情報記録部４は、各種の医療情報を記録するデータベースにより構成される。このデータベースは、たとえば、手術中や治療中等に発生した様々な事象に関わる医療情報を記録するロギングシステム（Ｌｏｇｇｉｎｇ  Ｓｙｓｔｅｍ）等に適用されるデータベースである。情報記録部４は、情報処理部３と有線方式又は無線方式で通信可能とされている。情報記録部４は、本発明の「記録手段」の一例に相当する。
【００２９】
テスト信号生成部５は、情報処理部３の制御にしたがって、シート型スキャナ１の動作確認を行うためのテスト信号を生成する。生成されたテスト信号は、情報処理部３に送られ、ケーブル１０００Ａを通じて医療装置１０００に入力される。なお、テスト信号生成部５から医療装置１０００に直接にテスト信号を入力するようにしてもよい。
【００３０】
テスト信号生成部５により生成されるテスト信号は、たとえば、心電計に表示される心電図の読み取りテストを実施するためのパルス信号として用いられる。このテスト信号生成部５は、テスト信号を生成する電気回路等を含んで構成される。
【００３１】
警告出力部６は、警告メッセージ等の可視的な警告情報を出力するディスプレイや、警告音等の可聴的な警告を出力する音声出力回路、スピーカなどを含んで構成される。出力する警告の態様は適宜に決定することができ、警告出力部６は、その決定に応じた構成に設計される。警告出力部６は、情報処理部３の制御に基づいて所定の警告情報を出力する。この警告出力部６は、本発明の「警告出力手段」の一例に相当する。
【００３２】
〔使用形態の概要〕
このような構成を有する本実施形態の医療情報システムについて、その使用形態の概要を説明する。この医療情報システムは、たとえば次のような工程を経ることにより、目的の作用を奏する：
（１） シート型スキャナ１を情報呈示部１１００に貼付する第１の準備工程；
（２） シート型スキャナ１の初期化及びテストを行う第２の準備工程；
（３） 情報呈示部１１００に呈示された医療情報を読み取る情報読取工程；
（４） 読み取られた医療情報を解析し、データ形式を変換する情報変換工程；
（５） データ形式が変換された医療情報を記録する情報記録工程；
（６） 医療情報が所定の条件に合致しているときに警報を出力する警報出力工程。
【００３３】
（第１の準備工程）
最初に、医療情報の取得対象となる医療装置１０００の情報呈示部１１００にシート型スキャナ１を貼り付ける。この工程は医師や看護士等が手作業で行う。
【００３４】
医師等は、まず、情報呈示部１１００に呈示される各種の医療情報のうち、取得対象となる医療情報が呈示される部位を特定する。そして、その呈示部位を覆うようにしてシート型スキャナ１を貼り付ける。
【００３５】
なお、後述の第１の構成例（図２参照）のように、シート型スキャナ１の一部のみ（スキャナ部１ｂ）が情報を読み取り可能に構成されている場合には、この情報を読み取り可能な一部が、医療情報の呈示部位に位置するようにシート型スキャナ１を貼り付ける。
【００３６】
なお、シート型スキャナ１により読み取られる医療情報の種類は、たとえば次のように分類することができる：
（分類１）患者名、患者ＩＤ、日付等のように時間経過とともに変化しない静的な情報；
（分類２）時刻、心拍数、血圧等のように時間経過とともに連続的に変化する情報；
（分類３）輸液ボトルの液面位置等のように時間経過とともにゆっくり変化する情報；
（分類４）心電図等のように時間経過とともに激しく変化する情報。
【００３７】
（第２の準備工程）
医療装置１０００にシート型スキャナ１が取り付けられたら、シート型スキャナ１の初期化とテストを行う。
【００３８】
この工程では、（分類１）、（分類２）に属する医療情報については、たとえば、情報呈示部１１００に呈示された文字や図形やグラフ等を正確に読み取るためのテストなどを行う。
【００３９】
また、（分類３）に属する医療情報については、たとえば、輸液ボトルの液面について、液面位置の基準となる位置（高さ）を設定するなどの初期化作業を必要に応じて行う。
【００４０】
また、（分類４）に属する医療情報については、たとえば、テスト信号生成部５が発生したパルス信号を心電計に印可し、心電計に表示されるパルス信号を用いて読み取りの確度の調整などを行う。
【００４１】
（情報読取工程）
以上の工程により、シート型スキャナ１による医療情報の読み取りが可能となる。シート型スキャナ１は、スキャナ制御部２の制御にしたがって、情報呈示部１１００に呈示された医療情報を読み取る。読み取られた医療情報は、ケーブル１Ａを通じてスキャナ制御部２に送信され、情報処理部３に入力される。
【００４２】
（情報変換工程、情報記録工程）
シート型スキャナ１により読み取られた医療情報は、未だ医療情報として意味を有するものではなく、単なるモノクロの２次元画像データである。情報処理部３は、この２次元画像データを解析して取得対象の医療情報の画像を抽出する。
【００４３】
更に、抽出された画像に対して、たとえば平滑化（ｓｍｏｏｔｈｉｎｇ）処理、シャープニング（ｓｈａｒｐｅｎｉｎｇ）処理、細線化（ｔｈｉｎｎｉｎｇ）、骨格抽出（ｓｋｅｌｔｏｎｉｚａｔｉｏｎ）処理、文字認識（ｃｈａｒａｃｔｅｒ  ｒｅｃｏｇｎｉｔｉｏｎ）処理などの画像処理を施す。そして、このようにして得られた医療情報のデータ形式を変換し、情報記録部４に送信して記録させる。
【００４４】
（警告出力工程）
情報処理部３は、スキャナ制御部２から入力された医療情報が所定の条件に合致する場合に、警告出力部６を制御して警告を出力させる。たとえば、シート型スキャナ１により読み取られた医療情報が心拍数である場合、情報処理部３は、その心拍数の値が所定の閾値以上になったときや閾値以下になったときに、警報を出力させる。この警報出力処理は、患者が危険な状態に陥ったこと等を検知し、それを医師等に報知するためなどの用途に有効に利用される。
【００４５】
［シート型スキャナ］
ここで、シート型スキャナ１の具体的構成について説明する。シート型スキャナ１は、近年開発されたスキャナ機器である（その検出原理や構成については、たとえば、特開２００５−１５０１４６号公報や、インターネットのホームページｈｔｔｐ：／／ｗｗｗ．ｎｔｅｃｈ．ｔ．ｕ―ｔｏｋｙｏ．ａｃ．ｊｐ／Ｒｅｓｅａｒｃｈ／Ｒｅｓｅａｒｃｈ＿ｐｒｏｊｅｃｔ／Ｒｅｓｅａｒｃｈ＿ｐｒｏｊｅｃｔ＿ｌａｒｇｅ＿ａｒｅａ＿ｅｌｅｃｔｒｏｎｉｃｓ／Ｒｅｓｅａｒｃｈ＿ｐｒｏｊｅｃｔ＿ｌａｒｇｅ＿ａｒｅａ＿ｅｌｅｃｔｒｏｎｉｃｓ．ｈｔｍｌなどを参照）。
【００４６】
シート型スキャナ１は、薄膜状で軽量である、可撓性を有する（フレキシブルである）、光学系や機構を有さず維持や使用に適しているなどの特長を備えている。このシート型スキャナ１は、様々な物の表面に貼付可能であり、可撓性を有することから曲面上の表面に貼付することも可能である。このシート型スキャナ１は、フィルム上にアレイ状に配設された光センサ（セル）と、各光センサに接続された電子スイッチとを含んで構成される。
【００４７】
上記の文献やホームページに記載されたシート型スキャナを用いて、ディスプレイに表示された情報の読み取りを行う場合、注意すべき点がいくつか有る。まず、外界からの光がシート型スキャナの光センサに入射すると、ディスプレイからの光を検出するのが難しくなる。通常のシート型スキャナにおいては、光センサの上部に形成された高分子フィルム等からなる遮光層によって外界からの光を遮光して光センサに届かないようにしている。
【００４８】
しかし、遮光層を有する通常のシート型スキャナをディスプレイに貼付すると、表示されている情報を見ることができないという不都合が生じる。特に、手術等においては、医師等は、ディスプレイに表示された情報を参照しつつ様々な医学的判断を下す必要があるため、表示情報を見ることができないことは致命的とさえ言える。
【００４９】
このように、シート型スキャナを用いてディスプレイの表示情報を読み取る場合には、医師等がその表示情報を正確に視認できるような工夫を凝らす必要がある。また、表示された情報の見易さを向上させるために、表示画面全体を（ほぼ）同じ明るさにすることが望ましい。本実施形態のシート型スキャナ１は、次のような構成を採用することにより、このような課題の解決を図っている。以下、シート型スキャナ１（及びディスプレイ）の５種類の構成例を説明する。
【００５０】
（シート型スキャナの第１の構成例）
ディスプレイ読み取り用のシート型スキャナ１の第１の構成例を図２に示す。図２（Ａ）はシート型スキャナ１の正面図であり、図２（Ｂ）は断面図である。このシート型スキャナ１は、透明（又は半透明）のフィルム部材からなる透明フィルム１ａと、スキャナ部１ｂと、低粘着フィルム１ｃとを含んで構成される。
【００５１】
透明フィルム１ａとしては、スキャナ部１ｂと（ほぼ）等しい透明度（光透過度）を有するものを適用する。この透明フィルム１ａには、ディスプレイ１１０１の表示画面１１０２とほぼ同様のサイズに形成されており、あらかじめ決定された位置にスキャナ部１ｂのサイズに合わせた切欠部が形成されている。
【００５２】
スキャナ部１ｂは、透明フィルム１ａの切欠部に嵌め込まれるようにして配設される。このスキャナ部１ｂは、上述した通常のシート型スキャナ（若しくは、それから遮光層を取り去ったもの）である。
【００５３】
透明フィルム１ａとスキャナ部１ｂは、透明又は半透明の低粘着フィルム１ｃ（貼付部材）の一方の面に接合されている。低粘着フィルム１ｃの他方の面は、低粘着性を有している。この「低粘着性」は、シート型スキャナ１を表示画面１１０２に貼り付けたときには、シート型スキャナ１の自重を支持可能な接着力を発揮する一方、表示画面１１０２からシート型スキャナ１を容易に手作業で取り外せる程度の接着力を発揮するものである。このようにシート型スキャナ１は、表示画面１１０２に対して着脱可能に構成されている。
【００５４】
このようなシート型スキャナ１の第１の構成例によれば、表示画面１１０２全体をほぼ等しい明るさにすることができるとともに、シート型スキャナ１による情報の読み取りも確実に行うことができる。なお、必要に応じて表示画面の明るさ調整を行うことにより、表示された情報の見易さの向上を図ってもよい。
【００５５】
（シート型スキャナの第２の構成例）
図３は、シート型スキャナ１の第２の構成例を表している。このシート型スキャナ１は、たとえば液晶ディスプレイ１１０２（の表示画面）に着脱可能とされる低粘着フィルム１ｃと、透明フィルム１ｄと、フィルム状の光センサ（セル）１ｅとを含んで構成される。このフィルム状の光センサ（セル）としては、たとえば、前述の特開２００５−１５０１４６号公報において開示されている、高分子フィルム上に有機トランジスタ及び光センサを配設して形成されたものを用いることができる。
【００５６】
透明フィルム１ｄには、第１の構成例のような切欠部は形成されていない。この透明フィルム１ｄの片面には、複数の光センサ１ｅがたとえばアレイ状に配列されて接合されている。また、これらの光センサ１ｅは、低粘着フィルム１ｃに接合されている。すなわち、複数の光センサ１ｅは、透明フィルム１ｄと低粘着フィルム１ｃとに挟まれるようにして配設されている。
【００５７】
このようなシート型スキャナ１の第２の構成例によれば、第１の構成例のように透明フィルム１ｄに切欠部を形成するための加工作業を行う必要がなく比較的容易に作成できること、また、シート型スキャナ１の透明性を確保でき、表示された情報が見やすいこと、などの効果がある。
【００５８】
（シート型スキャナの第３の構成例）
図４は、シート型スキャナ１の第３の構成例を表している。このシート型スキャナ１は、第１の構成例と同様の低粘着フィルム１ｃ及びフィルム状の光センサ（セル）１ｅと、偏光フィルム１ｆとを含んで構成される。
【００５９】
偏光フィルム１ｆの片面には、第２の構成例と同様に複数の光センサ１ｅがたとえばアレイ状に配列されて接合されている。また、これらの光センサ１ｅは、低粘着フィルム１ｃに接合されている。すなわち、複数の光センサ１ｅは、偏光フィルム１ｆと低粘着フィルム１ｃとに挟まれるようにして配設されている。
【００６０】
液晶ディスプレイ１１０３は、バックライト部１１０３ａ、偏光板１１０３ｂ及び液晶１１０３ｃを含んで構成される。なお、液晶ディスプレイ１１０３には、これらの他にも、透明電極やガラス基板などが含まれている。バックライト部１１０３ａは、たとえば、冷陰極管等のバックライト用光源と、このバックライト用光源が発した光を偏光板１１０３ｂの後面側に導く導光板と、この導光板により導かれた光を拡散して偏光板１１０３に向けて出射させる拡散板等を含んで構成される。
【００６１】
なお、通常の液晶ディスプレイにおいては、液晶１１０３ｃの両側（バックライト側及び表示画面側）に偏光板が配置されている。これらの偏光板は、互いの偏光軸が直交するようにして配設されている。
【００６２】
一方、この第３の構成例のシート型スキャナ１を適用する液晶ディスプレイ１１０３は、表示画面側には偏光板が設けられておらず、バックライト部１１０３ａ側にのみ偏光板１１０３ｂが設けられている点が特徴的である。
【００６３】
本構成例のシート型スキャナ１は、その偏光フィルム１ｆの偏光軸の方向を、液晶ディスプレイ１１０３の偏光板１１０３ｂの偏光軸の方向に合わせるようにして、液晶ディスプレイ１１０３の表示画面に貼り付けられる。
【００６４】
それにより、液晶ディスプレイ１１０３の表示画面から出射された光のほぼ全てがシート型スキャナ１を透過するので、医師等は表示された情報を容易に視認できる。同時に、外部からシート型スキャナ１に入射した光の半分程度が偏光フィルム１ｆによって遮断されるので、外部からの光が光センサ１ｅによる検出に与える悪影響を大きく低減させることができ、表示された情報を精度良く読み取ることができる。
【００６５】
（シート型スキャナの第４の構成例）
図５は、シート型スキャナ１の第４の構成例を表している。このシート型スキャナ１は、第１の構成例と同様の低粘着フィルム１ｃ及びフィルム状の光センサ（セル）１ｅと、第２の構成例と同様の透明フィルム１ｄと、光センサ１ｅと（ほぼ）等しいサイズに形成された偏光フィルム１ｇとを含んで構成される。
【００６６】
透明フィルム１ｄの片面には、複数の偏光フィルム１ｇがたとえばアレイ状に配列されて接合されている。各偏光フィルム１ｇは、偏光軸が同じ方向を向くようにして配設される。また、各偏光フィルム１ｇには、光センサ１ｅが接合されている。更に、各光センサ１ｅは、低粘着フィルム１ｃの一方の面に接合されている。
【００６７】
本構成例のシート型スキャナ１が適用される液晶ディスプレイ１１０４は、通常の液晶ディスプレイ１１０４と同様に、バックライト部１１０４ａ、バックライト側の偏光板１１０４ｂ、液晶１１０４ｃ、及び、表示画面側の偏光板１１０４ｄ等が設けられている。偏光板１１０４ｂの偏光軸の方向と、偏光板１１０４ｄの偏光軸の方向とは、互いに直交するようになっている。
【００６８】
本構成例のシート型スキャナ１は、各偏光フィルム１ｇの偏光軸の方向を、表示画面側の偏光板１１０４ｄの偏光軸の方向に合わせるようにして、液晶ディスプレイ１１０４の表示画面に貼り付けられる。
【００６９】
それにより、第３の構成例と同様に、液晶ディスプレイ１１０４の表示画面から出射された光のほぼ全てがシート型スキャナ１を透過するので、医師等は表示された情報を容易に視認できると同時に、外部からシート型スキャナ１に入射した光の一部を偏光フィルム１ｇによって遮断することができるので、外部からの光が光センサ１ｅによる検出に与える悪影響を低減させることができ、表示された情報を精度良く読み取ることが可能となる。
【００７０】
（シート型スキャナの第５の構成例）
図６は、シート型スキャナ１の第５の構成例を表している。このシート型スキャナ１は、第４の構成例と同様に、低粘着フィルム１ｃ、フィルム状の光センサ（セル）１ｅ、透明フィルム１ｄ、及び、光センサ１ｅと（ほぼ）等しいサイズに形成された偏光フィルム１ｇを含んで構成される。
【００７１】
この第５の構成例と上記第４の構成例との差異は、光センサ１ｅの配設位置と偏光フィルム１ｇの配設位置とを逆にした点のみである。この第５の構成例のシート型スキャナ１によっても、第４の構成例と同様の効果を享受することができる。
【００７２】
［具体例１：心電計］
本実施形態に係る医療情報システムの具体例を説明する。第１の具体例は、図１の医療装置１０００として心電計を適用したものである。以下、心電計に表示される心拍数や血圧を読み取って記録する処理、及び、心電図グラフを読み取って記録する処理についてそれぞれ説明する。
【００７３】
〔文字列情報の処理〕
まず、心電計１００１のディスプレイ１００１ａに文字列として表示される医療情報（文字列情報）に関わる処理について説明する。この処理を適用することにより、前述の（分類１）及び（分類２）の情報を読み取って認識し、記録することが可能である。この心電計１００１のディスプレイ１００１ａは、本発明の「表示部」の一例に相当するものである。
【００７４】
図７に示すように、心電計１００１のディスプレイ１００１ａには、心拍数（ＨＲ：Ｈｅａｒｔ  Ｒａｔｅ）や血圧（ＢＰ：Ｂｌｏｏｄ  Ｐｒｅｓｓｕｒｅ）などの文字列からなる医療情報と、時間経過とともに大きく変化するグラフ情報からなる心電図とが、それぞれ所定の位置に表示される。
【００７５】
（制御系の構成）
図８のブロック図は、表示された文字列情報を読み取って情報記録部４に記録するための処理を行う本システムの制御系の構成の一例を表している。本システムは、ＬＣＤやＣＲＴ等の任意の表示デバイスからなる表示部７と、マウス、キーボード、トラックボール、ジョイスティック、コントロールパネル等の操作デバイスや入力デバイスを含む操作部８とを備えている。この表示部７は本発明の「表示手段」の一例として作用し、操作部は「操作手段」の一例として作用する。
【００７６】
なお、表示デバイスと操作デバイスとが一体構成されたタッチパネル式の液晶パネルやペンタブレット等のマン−マシンユーザフェイスを使用することも可能である。表示部７や当該マン−マシンインターフェイスは、図１に示した警告出力部６の一例として作用する。
【００７７】
情報処理部３は、制御部３０、記憶部３１、変換処理部３２及び登録情報作成部３３を備えている。
【００７８】
（制御部）
制御部３０は、情報処理部３の各種動作の制御を行うもので、たとえば本発明の「表示制御部」の一例として動作する（後述）。この制御部３０は、ＣＰＵ等のマイクロプロセッサ、ＲＡＭ等のメモリ、ＲＯＭ、ハードディスクドライブ、通信機器（モデム、ＬＡＮカード等）を含んで構成される。ハードディスクドライブには、この具体例に特徴的な後述の処理を実行するためのコンピュータプログラム（医療情報処理プログラム）があらかじめ格納されている。マイクロプロセッサは、このコンピュータプログラムをメモリに展開することにより、目的の処理を行う。
【００７９】
（記憶部）
記憶部３１は、情報処理部３が目的の処理を行うために参照する各種情報を記憶するもので、たとえばハードディスクドライブ等の不揮発性記憶装置により構成される。この記憶部３１には、上記の各種情報として、文字関連情報３１ａと参照テーブル３１ｂが記憶される。また、この記憶部３１には、心拍数や血圧の値の正常範囲（又は上限値や下限値等）を示す情報があらかじめ記憶されている。この情報は、たとえば患者ごとに事前に設定することができる。
【００８０】
スキャナ制御部２から情報処理部３に入力される医療情報は、前述のようにモノクロの２次元画像データである。文字関連情報３１ａは、医療情報としての文字列情報に含まれる文字の２次元画像データと、所定のデータ形式における当該文字のデータとを関連付ける情報である。
【００８１】
つまり、文字関連情報３１ａは、シート型スキャナ１により読み取られる文字のイメージデータと、コンピュータ（情報処理部３等）が認識可能なデータ形式（たとえばフォント）においてその文字を示すデータ（「文字データ」と呼ぶことにする。）とを関連付けるものである。たとえば、２次元画像データとして「縦棒一本」からなる形態の文字と、コンピュータが認識可能なデータ形式における文字（数字）の「１」とを関連付ける。この具体例における文字関連情報３１ａは、数字０〜９のそれぞれについて、その数字の２次元画像データと、コンピュータが認識可能なデータ形式におけるその数字の文字データとを関連付けている。なお、この文字関連情報３１ａの作成方法については後述する。
【００８２】
参照テーブル３１ｂは、本発明の「関連情報」の一例に相当し、たとえば図９に示すような形態のテーブルデータとして構成される。同図に示す参照テーブル３１ｂは、心電計１００１に表示される心拍数を情報処理部３が認識するために参照される情報である。この参照テーブル３１ｂの作成方法についても後述することにする。
【００８３】
この参照テーブル３１ｂには、（１）この医療情報の名称（Ｎａｍｅ）を示す文字列「Ｈｅａｒｔ  Ｒａｔｅ」と、（２）心電計１００１に表示されるこの医療情報を表すシンボル（Ｓｙｍｂｏｌ）を示す文字列「ＨＲ」と、（３）この医療情報を形成する文字の種類（Ｔｙｐｅ）を示す文字列「Ｄｉｇｉｔ」と、（４）この医療情報を形成する文字の個数（Ｎｏ．  ｏｆ  ｌｅｔｔｅｒｓ）を示す文字列「３」と、（５）この医療情報を形成する各文字の読取領域（認識領域）の位置（Ｐｏｓｉｔｉｏｎ）を示す文字列「２−（５００，２００）、１−（５５０，２００）、０−（６００，２００）」と、（６）各文字の読取領域の大きさ（Ｓｉｚｅ）を示す文字列「２−（５０，８０）、１−（５０，８０）、０−（５０，８０）」とが記憶されている。
【００８４】
（１）：医療情報の名称を示す欄には、前述のように、その名称を示す文字列が記録される。なお、図９において文字列「Ｈｅａｒｔ  Ｒａｔｅ」の下に記載されている文字列「ＲＲ−ｉｎｔｅｒｖａｌ」は、連続する２つのＲ波の間隔に基づいて心拍数が得られていることを示す（次の（２）についても同様である）。ここで、Ｒ波とは、血液を左心室から大動脈に送り出すときに検出される電気信号である。
【００８５】
（２）：医療情報のシンボルを示す欄には、当該医療情報の略称やイニシャル等の文字列が記録される。このシンボルの欄に記録される文字列は、この医療情報を識別する識別情報として用いられる。参照テーブル３１ｂの各情報は、この識別情報に関連付けられて記憶されている。
【００８６】
（３）：医療情報を形成する文字の種類を示す欄には、この医療情報がどのような種類の文字で呈示されるかが記憶されている。図９では、文字列「Ｄｉｇｉｔ」により、この医療情報（心拍数）が「数字」で呈示されることが示されている。
【００８７】
（４）：医療情報を形成する文字の個数を示す欄には、この医療情報が（最大）幾つの文字で形成されるかを示す本発明の文字数情報が記憶される。図９においては、（３）と（４）とを併せて、（最大）３桁の数字により医療情報（心拍数）が形成されるようになっている。
【００８８】
（５）、（６）については図１０を参照しつつ説明する。この図１０は、心電計１００１に表示された心拍数をシート型スキャナ１で読み取るときの読み取り形態の一例を表している。
【００８９】
シート型スキャナ１の情報読取面（ディスプレイ１００１ａに貼り付けられる面）には、あらかじめ２次元座標系（ｘ，ｙ）が定義されている。この２次元座標系（ｘ，ｙ）は、たとえば、シート型スキャナ１の左上端を原点（ｘ，ｙ）＝（０，０）として定義されている。
【００９０】
心拍数は、（３）、（４）に示すように、最大３桁の数字で表示される。図１０では、心拍数＝１０４（回／分）の状態が表示されている。なお、９９（回／分）以下の心拍数の値を表示するときには、単に「ＡＢ」と表示してもよいし、「０ＡＢ」と表示してもよい（Ａ、Ｂは、それぞれ０〜９のいずれかの数字）。
【００９１】
ディスプレイ１００１ａに表示される心拍数の値の１００の桁はシート型スキャナ１の読取領域Ｒ１で読み取られ、１０の桁は読取領域Ｒ２で読み取られ、１の桁は読取領域Ｒ３で読み取られる。
【００９２】
（５）：参照テーブル３１ｂの読取領域の位置の欄には、読取領域Ｒ１の左上端位置ｐ１の座標値（ｘ、ｙ）＝（５００，２００）と、読取領域Ｒ２の左上端位置ｐ２の座標値（ｘ，ｙ）＝（５５０，２００）と、読取領域Ｒ３の左上端位置ｐ３の座標値（ｘ，ｙ）＝（６００，２００）とが記憶されている。
【００９３】
ここで、参照テーブル３１ｂにおいて、読取領域Ｒ１の左上端位置ｐ１、ｐ２、ｐ３の座標値（５００，２００）、（５５０，２００）、（６００，２００）の前に付されている文字列「２−」、「１−」、「０−」は、それぞれ、どの座標値がどの桁に対応するかを示すものである。すなわち、文字列「２−（５００，２００）」における「２−」は、この座標値（５００，２００）が１０＾２（＝１００）の桁の読取位置であることを示し、文字列「１−（５５０，２００）」における「１−」は、この座標値（５５０，２００）が１０＾１（＝１０）の桁の読取位置であることを示し、文字列「０−（６００，２００）」における「０−」は、この座標値（６００，２００）が１０＾０（＝１）の桁の読取位置であることを示している。
【００９４】
（６）：文字の読取領域の大きさの欄には、医療情報をシート型スキャナ１で読み取るときの、各文字の読取領域のサイズが記憶される。図９では、２次元座標系（ｘ，ｙ）を用いて、１００、１０、１の桁を読み取る読取領域Ｒ１、Ｒ２、Ｒ３のそれぞれについて、ｘ方向のサイズ５０とｙ方向のサイズ８０とが記憶されている。ここで、各サイズの前に付された文字列「２−」、「１−」、「０−」は、上記（５）の場合と同様である。
【００９５】
なお、ディスプレイ１００１ａに表示される血圧（ＢＰ）等の他の文字列情報についても、以上と同様の参照テーブル３１ｂがそれぞれ記憶部３１に記憶されている。
【００９６】
（変換処理部）
変換処理部３２は、スキャナ制御部２から情報処理部３に入力された医療情報のデータ形式を変換する処理を行う。変換処理部３２には、入力された医療情報に含まれる文字のデータ形式を変換する文字変換部３２ａが設けられている。
【００９７】
スキャナ制御部２から入力される医療情報は、モノクロの２次元画像データである。また、記憶部３１に記憶された文字関連情報３１ａは、この医療情報（文字列情報）に含まれる文字の２次元画像データと、所定のデータ形式における当該文字の文字データとを関連付けている。更に、参照テーブル３１ｂには、医療情報を形成する文字の種類を特定する情報として上記（３）が記憶され、その文字数を特定する情報として上記（４）が記憶され、各文字の読取領域を特定する情報として上記（５）、（６）が記憶されている。
【００９８】
文字変換部３２ａは、参照テーブル３１ｂを参照して、入力された文字列情報の文字数と各文字の読取領域を特定し、各文字の２次元画像データを抽出する。そして、抽出された各文字について、その文字の種類に関わる情報を文字関連情報３１ａから選択するとともに、選択された情報のうちから、当該文字の２次元画像データに関連付けられた文字データを検索する。そして、変換処理部３２は、たとえば、この検索された文字データと参照テーブル３１ｂとに基づいて、情報記録部４に記録するための所定のデータ形式のデータを作成する。
【００９９】
この変換処理部３２の処理の具体例を図９、１０を参照して説明する。この場合において、スキャナ制御部２から入力される心拍数の文字列情報は、モノクロの２次元画像データからなる「１０４」である。また、文字関連情報３１ａは、心拍数の文字列情報を形成する文字（数字）０〜９のそれぞれについて、その文字の２次元画像データと、その文字の所定のデータ形式における文字データとを関連付けている。更に、参照テーブル３１ｂには、この文字列情報を形成する文字の種類を特定する情報「Ｄｉｇｉｔ」が記憶され、その文字数を特定する情報「３」が記憶され、各文字の読取領域Ｒ１、Ｒ２、Ｒ３を特定する情報「２−（５００，２００）、１−（５５０，２００）、０−（６００，２００）」と、「２−（５０，８０）、１−（５０，８０）、０−（５０，８０）」とが記憶されている。
【０１００】
文字変換部３２ａは、参照テーブル３１ｂを参照して、この文字列情報が３文字からなることを認識するとともに、各文字の読取領域Ｒ１、Ｒ２、Ｒ３を認識する。そして、各読取領域で読み取られた文字の２次元画像データをそれぞれ抽出する。それにより、読取領域Ｒ１からは２次元画像データ「１」が抽出され、読取領域Ｒ２からは２次元画像データ「０」が抽出され、読取領域Ｒ３からは２次元画像データ「４」が抽出される。
【０１０１】
次に、文字変換部３２ａは、各読取領域Ｒ１、Ｒ２、Ｒ３から抽出された文字の２次元画像データに対し、必要に応じて前述の画像処理を施すことにより画像認識を容易化する。
【０１０２】
続いて、文字変換部３２ａは、参照テーブル３１ｂを参照して、抽出された文字が数字であることを認識し、様々な種類の文字について記憶されている文字関連情報３１ａのうちから、数字に関わる情報を選択する。それにより、各数字０〜９について、その数字の２次元画像データと、その数字の所定のデータ形式における文字データとを関連付ける文字関連情報３１ａが選択される。
【０１０３】
なお、この選択処理は、以下の検索処理を速やかに行うためのものである。つまり、この処理を行わない場合には、各文字の検索を行うために全ての文字関連情報３１ａから検索を行わなければならないが、この処理を行うことにより、検索対象となる文字関連情報３１ａの個数をあらかじめ限定することができ、処理速度を向上させることができる。
【０１０４】
次に、文字変換部３２ａは、選択された数字０〜９に関する文字関連情報３１ａに基づいて、抽出された各文字の２次元画像データについて、その２次元画像データに関連付けられた文字データを検索する。より具体的に説明すると、１００の桁の数字「１」の２次元画像データについては、数字１に関する文字関連情報３１ａを参照して、所定のデータ形式における数字「１」の文字データを検索取得する。また、１０の桁の数字「０」の２次元画像データについては、数字０に関する文字関連情報３１ａを参照して、所定のデータ形式における数字「０」の文字データを検索取得する。更に、１の桁の数字「４」の２次元画像データについては、数字４に関する文字関連情報３１ａを参照して、所定のデータ形式における数字「４」の文字データを検索取得する。
【０１０５】
最後に、変換処理部３２は、この検索された数字「１」、「０」、「４」の文字データと、参照テーブル３１ｂの「Ｓｙｍｂｏｌ」の欄の文字列（識別情報）とに基づいて、たとえば、「ＨＲ＝１０４」という形式のデータを作成する。このとき、一般のマイクロプロセッサにより提供される日時情報を参照することにより、「ＨＲ＝１０４  ＤＡＴＥ＝２００５．６．１、ＴＩＭＥ＝０１０：１２：２５．３２０」といった日時情報を含んだ形式のデータを作成することもできる。
【０１０６】
（登録情報作成部）
登録情報作成部３３は、新たに記憶部３１に登録する文字関連情報３１ａや参照テーブル３１ｂを作成する処理を行う。以下、数字に関する文字関連情報３１ａ及び心拍数の参照テーブル３１ｂの作成方法を説明しつつ、この登録情報作成部３３の動作を説明する。
【０１０７】
まず、読み取り対象の心拍数の表示領域を含むように、シート型スキャナ１をディスプレイ１００１ａに貼り付ける。次に、たとえば図７のテスト信号生成部５にパルス信号を生成させて心電計１００１に印可するなどして、ディスプレイ１００１ａに心拍数を表示させる。この表示された心拍数の値をシート型スキャナ１で読み取り、スキャナ制御部２から情報処理部３にその２次元画像データを入力する。入力された２次元画像は、表示部７に表示される。
【０１０８】
制御部３０は、文字関連情報３１ａ及び参照テーブル３１ｂの新規作成用の所定の画面を表示部７に表示させる。ユーザは、操作部８を用いて、心拍数の参照テーブル３１ｂの「Ｎａｍｅ」の欄、「Ｓｙｍｂｏｌ」の欄、「Ｔｙｐｅ」の欄、「Ｎｏ．  ｏｆ  ｌｅｔｔｅｒｓ」の欄に情報を入力する。登録情報作成部３３は、入力された情報を参照テーブル３１ｂに登録する。
【０１０９】
なお、心拍数に関するこれらの情報が事前に特定されている場合には、これらの情報があらかじめ登録された心拍数の参照テーブル３１ｂを用意しておいてもよい。一方、読取領域については、シート型スキャナ１をディスプレイ１００１ａに貼り付ける度毎に、参照テーブル３１ｂに登録を行う必要がある（以前と同位置に再び貼り付ける場合など、過去の読取領域の情報を利用できる場合を除く。）。
【０１１０】
次に、表示部７に表示された心拍数の値の２次元画像に、その心拍数の値を示す各桁の数字の領域を指定する。この領域の指定は、たとえば、ユーザが操作部８（マウス等のポインティングデバイス）を操作して行う。各桁について指定された領域は、図１０に示す読取領域Ｒ１、Ｒ２、Ｒ３として扱われ、各読取領域Ｒ１、Ｒ２、Ｒ３の位置を特定する情報が、参照テーブル３１ｂの「Ｐｏｓｉｔｉｏｎ」の欄と「Ｓｉｚｅ」の欄にそれぞれ登録される。この登録処理は、シート型スキャナ１に定義された２次元座標を用いて自動的に行うことができる。以上で、心拍数に関する参照テーブル３１ｂの作成処理は完了となる。
【０１１１】
続いて、ディスプレイ１００１ａに表示された心拍数の値を必要に応じて再び読み取り、その２次元画像を表示部７に表示させる。表示部７には、この２次元画像を文字変換部３２ａにより変換して得られる文字データが同時に表示される。文字変換部３２ａが目的の文字データを検索できない場合には、検索できなかった旨を示す所定の文字データとして「？」が表示される。本例では、数字０〜９の文字関連情報３１ａは未だ登録されていないので、心拍数の値の２次元画像（たとえば「１０６」）の各桁の数字を認識できず、「？？？」と表示されることになる。
【０１１２】
ユーザは、操作部８を操作して、１００の桁「１」に対応する文字データ「１」を入力し、１０の桁「０」に対応する文字データ「０」を入力し、１の桁「６」に対応する文字データ「６」を入力する。登録情報作成部３３は、１００の桁の２次元画像データ「１」と、ユーザが入力した文字データ「１」とを関連付ける文字関連情報３１ａを作成する。同様に、１０の桁の２次元画像データ「０」と文字データ「０」とを関連付ける文字関連情報３１ａ、及び、１の桁の２次元画像データ「６」と文字データ「６」とを関連付ける文字関連情報３１ａを作成する。作成された文字関連情報３１ａは、記憶部３１に記憶される。
【０１１３】
次に、別の心拍数の値をディスプレイ１００１ａに表示させる。その値がたとえば「２６７」であるとすると、表示部７には、読み取られた２次元画像「２６７」とともに、認識結果「？６？」が表示される。つまり、数字「６」については、既に文字関連情報３１ａが登録されているので、１０の桁の２次元画像データ「６」は変換可能であり、一方、１００の桁の「２」と１の桁の「７」については、未だ文字関連情報３１ａが登録されていないので、文字データに変換できずに「？」が表示される。
【０１１４】
ユーザが、最初の段階と同様にして、「２」の文字データと「７」の文字データを入力すると、登録情報作成部３３は、「２」、「７」に関する文字関連情報３１ａをそれぞれ作成し、作成された文字関連情報３１ａが記憶部３１に記憶される。
【０１１５】
このようにして、０〜９までの１０個の数字について、それぞれ文字関連情報３１ａを作成して登録する。それにより、全ての数字を文字データに変換できるようになる。このように、登録情報作成部３３は、本発明の「文字関連情報作成部」の一例として動作するものである。
【０１１６】
（処理態様）
このような構成を有する本具体例の医療情報システムによる文字列情報に対する処理態様の一例について、図１１のフローチャートを参照しつつ説明する。
【０１１７】
まず、心拍数等の文字列情報の表示領域を含むように、心電計１００１のディスプレイ１００１ａにシート型スキャナ１を貼り付ける（Ｓ１）。次に、上述した要領で、各数字０〜９の文字関連情報３１ａを作成するとともに（Ｓ２）、心拍数等の参照テーブル３１ｂを作成する（Ｓ３）。
【０１１８】
以上の準備が完了したら、心電図測定用の電極や血圧測定用のカフ（腕帯）などを患者に取り付けて検査を開始する（Ｓ４）。ディスプレイ１００１ａには、検出された患者の心拍数や血圧の値、心電図（グラフ）などが表示される。
【０１１９】
表示された心拍数等の値をシート型スキャナ１が読み取り（Ｓ５）、その値の２次元画像データが情報処理部３に入力される（Ｓ６）。
【０１２０】
変換処理部３２の文字変換部３２ａは、参照テーブル３１ｂを参照して、入力された心拍数の値の２次元画像データを形成する各桁の数字の２次元画像データを抽出するとともに、各数字０〜９の文字関連情報３１ａを参照して、各桁の数字の２次元画像データに関連付けられた文字データを検索する（Ｓ７）。変換処理部３２は、検索された文字データや参照テーブル３１ｂ等に基づいて、たとえば「ＨＲ＝１０４  ＤＡＴＥ＝２００５．６．１、ＴＩＭＥ＝０１０：１２：２５．３２０」などの所定のデータ形式からなる記録用データを作成する（Ｓ８）。
【０１２１】
また、制御部３０は、ステップＳ７で検索された心拍数の各桁の数字の文字データに基づいて、読み取られた心拍数の値を認識し（Ｓ９）、記憶部３１に記憶された心拍数の正常範囲を示す情報（前述）と比較する（Ｓ１０）。認識された心拍数の値がこの正常範囲に含まれている場合（Ｓ１１；Ｙ）、制御部３０は、ステップＳ８で作成された記録用データを情報記録部４に送信して記録させる（Ｓ１３）。
【０１２２】
一方、認識された心拍数の値が正常範囲に含まれない場合（Ｓ１１；Ｎ）、制御部３０は、所定の警告メッセージを表示部７に表示させるとともに（Ｓ１２）、ステップＳ８で作成された記録用データを情報記録部４に送信して記録させる（Ｓ１３）。
【０１２３】
なお、血圧等の他の文字列情報についても、ステップＳ７〜Ｓ１３と同様に処理される。
【０１２４】
シート型スキャナ１は、たとえば０．２秒間隔等の一定の間隔Ｔ０でディスプレイ１００１ａの表示画面を読み取るようになっている。情報処理部３は、スキャナ制御部２から馳駆時に入力される２次元画像データに対して、上記のステップＳ７〜Ｓ１３の処理を順次に実行することにより、記録用データを逐次に作成して情報記録部４に記録させる。
【０１２５】
なお、逐次に作成される記録用データを記憶部３１に一時的に保管しておき、たとえば所定の時間間隔ごとに情報記録部４にまとめて送信することや、検査終了後など所定のタイミングでまとめて情報記録部４に送信することもできる。
【０１２６】
医師等が、操作部８や心電計１００１の操作パネルなどを操作して、検査の終了を要求すると（Ｓ１４；Ｙ）、医療情報システムは処理を終了する。
【０１２７】
検査の終了後において、前述の記録文書を作成するときや検査（手術等）の検証や再現を行うときには、操作部８を操作するなどして情報記録部４に記録されたデータを読み出して表示部７に表示させることができる。
【０１２８】
（作用・効果）
以上のように動作する本具体例の医療情報システムによれば、心電計１００１が表示する心拍数や血圧等の値などの文字列情報をシート型スキャナ１で読み取り、その読み取った情報を、記録用のデータ形式に変換して情報記録部４に記録することができるので、心電計１００１に表示される文字列情報を自動的にかつ正確に取得して記録することが可能である。
【０１２９】
また、記録用のデータ形式に変換された心拍数等の値に基づいて警報メッセージ（警報音等でもよい）を出力するように構成されているので、検査中に患者の生体情報（バイタル）に異常が発生したことを報知することができ、手術等の安全性の向上を図ることができる。
【０１３０】
〔心電図グラフの処理〕
次に、上記と同様の心電計１００１のディスプレイ１００１ａにグラフ表示される心電図に関わる処理について説明する。図１２は、この処理を実行する医療情報システムの構成の一例を表している。
【０１３１】
この心電計１００１のディスプレイ１００１ａには、患者に取り付けられた複数の電極のそれぞれが検出した心電図グラフが並列表示されている。シート型スキャナ１は、これら複数の心電図グラフのうちの１つ以上を読み取ることができるように、ディスプレイ１００１ａに貼り付けられる。
【０１３２】
（制御系の構成）
図１３に示すブロック図は、心電図グラフを読み取って情報記録部４に記録する処理を行う本システムの制御系の構成の一例を表している。
【０１３３】
情報処理部３は、文字列情報に関する上述の処理を行う場合と同様に、制御部４０、記憶部４１、変換処理部４２及び登録情報作成部４３を備えている。
【０１３４】
（制御部）
制御部４０は、情報処理部３の各種動作の制御を行うもので、前述の制御部３０と同様に、マイクロプロセッサ、メモリ、ＲＯＭ、ハードディスクドライブ等を含んで構成される。ハードディスクドライブには、この具体例の処理を実行するためのコンピュータプログラム（医療情報処理プログラム）があらかじめ格納されている。マイクロプロセッサは、このコンピュータプログラムをメモリに展開することにより、目的の処理を行う。
【０１３５】
（記憶部）
記憶部４１は、情報処理部３が目的の処理を行うために参照する参照テーブル４１ａ等の各種情報を記憶するもので、ハードディスクドライブ等の不揮発性記憶装置により構成される。
【０１３６】
参照テーブル４１ａは、本発明の「関連情報」の一例に相当し、たとえば図１４に示すような形態のテーブルデータとして構成される。同図に示す参照テーブル４１ａは、心電計１００１に表示される心電図グラフを情報処理部３が認識するために参照される情報である。この参照テーブル４１ａの作成方法については後述することにする。
【０１３７】
この参照テーブル４１ａには、（１）この医療情報の名称（Ｎａｍｅ）を示す文字列「ＥＣＧ」（Ｅｌｅｃｔｒｏｃａｒｄｉｏｇｒａｍ）と、（２）認識対象となる医療情報を表すシンボル（Ｓｙｍｂｏｌ）を示す文字列「ＥＣＧ−Ｖ１」と、（３）この医療情報の種類（Ｔｙｐｅ）を示す「Ｈｏｒｉｚｏｎｔａｌ  ｓｃｒｏｌｌ  ｗａｖｅｆｏｒｍ」（水平方向に移動する波形）と、（４）この医療情報の読取領域の位置（Ｒｅｃｏｇｎｉｔｉｏｎ  Ａｒｅａ  Ｐｏｓｉｔｉｏｎ）を示す文字列「（８０，２０）」と、（５）読取領域の大きさ（Ｒｅｃｏｇｎｉｔｉｏｎ  Ａｒｅａ  ｓｉｚｅ）を示す文字列「（１２００，４００）」と、（６）心電図グラフの認識処理において基準となる時間軸上の位置（Ｓｔａｎｄａｒｄ  ｔｉｍｅ  Ｐｏｓｉｔｉｏｎ；基準時間位置）を示す文字列「１５０」と、（７）心筋活動に基づく電位を電極が検出してからその検出結果がディスプレイ１００１ａに表示されるまでの時間（Ｌａｔｅｎｃｙ  ｔｉｍｅ；遅延時間）を示す文字列「＋０．８」と、（８）心電図グラフを認識するためのグラフのゼロレベル（振幅＝０）の位置（Ｚｅｒｏ  ｌｅｖｅｌ  Ｐｏｓｉｔｉｏｎ；ゼロレベル位置）を示す文字列「２００」と、（９）表示部７に表示される心電図グラフの振幅の値の基準（Ｓｔａｎｄａｒｄ  ａｍｐｌｉｔｕｄｅ  ｏｎ  ｓｃｒｅｅｎ；基準表示振幅値）と、（１０）実際の心電図グラフの振幅（電圧）の基準値（Ｒｅａｌ  ｓｔａｎｄａｒｄ  ａｍｐｌｉｔｕｄｅ；基準電圧値）とが記憶されている。
【０１３８】
（２）：シンボルの欄に記録された文字列「ＥＣＧ−Ｖ１」は、この医療情報（心電図グラフ）を識別する識別情報として用いられる。参照テーブル４１ａの各情報は、この識別情報に関連付けられて記憶されている。ここで、「Ｖ１」は、電極の識別情報である。心電計１００１は、複数の電極による電位の検出結果を個別に表示でき、それぞれに電極識別用の文字列Ｖ１、Ｖ２、Ｖ３、・・・・があらかじめ付与されている。識別用文字列Ｖｉ（ｉ＝１、２、・・・）が付与された電極の検出結果に基づく心電図グラフをＥＣＧ−Ｖｉと記載する（図１５参照）。この具体例では、識別用文字列Ｖ１の電極に基づく心電図グラフＥＣＧ−Ｖ１を読み取って認識する。
【０１３９】
（４）：読取位置の欄に記録された文字列「（８０，２０）」は、図１５に示す読取領域Ｒの左上端の座標値を示している。この座標値は、シート型スキャナ１の情報読取面に定義された２次元座標系（ｘ，ｙ）である。
【０１４０】
この２次元座標系（ｘ，ｙ）で表される座標値と、シート型スキャナ１の各光センサ（セル）の配設位置とは、相互に変換可能なように関連付けられているものとする。たとえば、光センサがｘ方向及びｙ方向にアレイ状に配設されたシート型スキャナ１を用いる場合においては、光センサのｘ方向の配列間隔をｘ方向の単位距離（距離＝１）に設定し、ｙ方向の配列間隔をｙ方向の単位距離に設定することができる。この設定においては、２次元画像データのｘ方向のピクセル間隔はｘ方向の単位距離に相当し、ｙ方向のピクセル間隔はｙ方向の単位距離に相当する。この具体例では、説明の簡略化のため、２次元座標系（ｘ，ｙ）はこのように設定されているものとする。
【０１４１】
（５）：読取領域のサイズの欄に記録された文字列「（１２００，４００）」は、心電図グラフＥＣＧ−Ｖ１の読取領域Ｒのｘ方向のサイズ１２００とｙ方向のサイズ４００とを示している。したがって、（４）と（５）を考慮すると、読取領域Ｒの左上端の座標は（８０，２０）、右上端の座標は（１２８０，２０）、左下端の座標は（８０，４２０）、右下端の座標は（１２８０，４２０）となる（図１５参照）。
【０１４２】
（６）：心電図グラフの認識処理において基準となる時間軸上の位置（基準時間位置）の欄に記録された文字列「１５０」は、この基準時間位置のｘ座標値（図１６に示す基準時間位置ＴＬのｘ座標値）を示している。ここで、「時間位置」とは、スキャナ制御部２から情報処理部３に入力される心電図グラフの２次元画像データにおける時間軸上の位置（座標）を意味するものとする。
【０１４３】
（７）：遅延時間の欄に記録された文字列「＋０．８」は、心電計１００１が心筋活動に基づく電位を検出してからその検出結果をディスプレイ１００１ａに表示するまでに０．８秒掛かることを示している。この遅延時間は、心電計１００１の装置特性であり、たとえば心電計１００１の製造側から提供される装置のスペック情報などが用いられる。
【０１４４】
（８）：ゼロレベル位置の欄に記録された文字列「２００」は、心電図グラフＥＣＧ−Ｖ１の振幅を認識するための基準となるレベル（図１６に示すゼロレベルＺＬ）のｙ座標値を示している。
【０１４５】
（９）：基準表示振幅値の欄に記載された文字列「１５０」は、心電図グラフＥＣＧ−Ｖ１を表示部７に表示させたときの表示画面上における振幅の基準値となるピクセル数（画素数）、つまり、心電図グラフＥＣＧ−Ｖ１の２次元画像データの振幅方向の基準距離となるピクセル数が１５０ピクセルであることを示している。この基準表示振幅値は、図１６に示す基準振幅Ａ０に含まれるピクセル数である。
【０１４６】
（１０）：基準電圧値の欄に記載された文字列「２」は、心電図グラフＥＣＧ−Ｖ１の実際の振幅（電圧値）の基準となる数値が２（ｍＶ）であることを示している。この基準電圧値は、図１６の基準振幅Ａ０に相当する電圧値である。すなわち、（９）の基準表示振幅値に示すピクセル数と（１０）の基準電圧値に示す電圧値とは等価である（つまり、表示画面における振幅方向の１５０ピクセルは電圧値２（ｍＶ）に相当し、逆もまた同様である。）。
【０１４７】
（変換処理部）
変換処理部４２は、スキャナ制御部２から情報処理部３に入力された心電図グラフ（２次元画像データ）のデータ形式を変換する処理を実行する。この変換処理部４２には、入力された心電図グラフの任意の時間位置に対応する時刻を算出する時刻算出部４２ａが設けられている。この時刻は、当該時間位置における心電図グラフの電圧値が心電計１００１の電極ＥＣＧ−Ｖ１によって検出された時刻に相当するものである。以下、このような変換処理部４２の処理の一具体例について説明する。
【０１４８】
ところで、シート型スキャナ１は、前述のように、ディスプレイ１００１ａに表示された心電図グラフＥＣＧ−Ｖ１を、たとえば０．２秒間隔などの一定の間隔Ｔ０（読取間隔）で逐次に読み取るようになっている。スキャナ制御部２は、この一定間隔で読み取られた心電図グラフＥＣＧ−Ｖ１の２次元画像データを情報処理部３に順次入力する。この順次に入力された２次元画像データは、制御部４０から変換処理部４２に順次に送られる。変換処理部４２は、順次に入力される心電図グラフＥＣＧ−Ｖ１の２次元画像データに対して、たとえば以下の処理を施すことにより所定のデータ形式への変換を行う。
【０１４９】
まず、変換処理部４２は、参照テーブル４１ａ（図１４参照）の基準時間位置（ｘ＝１５０）を参照し、入力された心電図グラフＥＣＧ−Ｖ１の２次元画像データ（「第１の２次元画像データ」と呼ぶことにする。）の基準時間位置ＴＬ（図１６参照）における電圧値を求める。この処理は、たとえば次の（１）〜（３）のようにして行う。
【０１５０】
（１）基準時間位置ＴＬ上のピクセルのうち、ピクセル値（輝度値等）が最大（又は最小）のピクセルを探索する。それにより特定されたピクセルを特定ピクセルと呼ぶ。この基準時間位置ＴＬにおける特定ピクセルの座標値を（ｘｓ，ｙｓ）とする。
【０１５１】
（２）参照テーブル４１ａのゼロレベル位置に記録されたｙ座標値ｙ＝２００を参照し、特定ピクセルのｙ座標値ｙ＝ｙｓからゼロレベルＺＬのｙ座標値ｙ＝２００を減算する；Δｙｓ＝ｙｓ−２００。前述したピクセル間隔とｙ方向の距離との関係を考慮すると、当該処理は、特定ピクセルからゼロレベルＺＬに下ろした垂線上に位置するピクセル数をカウントすることに同値である。つまり、Δｙｓの値は、特定ピクセルとゼロレベルＺＬとの間のピクセル数を表している。
【０１５２】
（３）参照テーブル４１ａを参照し、Δｙｓの値を基準表示振幅値＝１５０（ピクセル）で除算し、更に基準電圧値＝２（ｍＶ）を乗算する；Ａｓ＝Δｙｓ×２／１５０（ｍＶ）。この値Ａｓが、基準時間位置ＴＬにおける心電図グラフＥＣＧ−Ｖ１の第１の２次元画像データの電圧値（振幅）である。
【０１５３】
次に、変換処理部４２は、図１６に示す認識間隔Ｗに含まれる各時間位置における電圧値を、基準時間位置ＴＬにおける電圧値と同様の処理（１）〜（３）によって求める。それにより、認識間隔Ｗにおける心電図グラフＥＣＧ−Ｖ１の第１の２次元画像データの波形が取得される。
【０１５４】
ここで、認識間隔Ｗは、シート型スキャナ１による読取間隔Ｔ０に相当する間隔に等しくなるように、若しくは、それよりも少し大きくなるようにあらかじめ設定されている。読取間隔Ｔ０に相当する時間軸方向の距離は、たとえば、読取間隔Ｔ０を介して読み取られた２つの心電図グラフを表示部７に表示させ、グラフの特徴部位（最大振幅位置や振幅０の位置等）の時間軸方向における変位又はピクセル数を求める。この変位又はピクセル数は、読取間隔Ｔ０に相当する距離を表している。なお、この距離を読取時間Ｔ０で除算することにより、表示部７に表示される心電図グラフの時間軸方向へのスクロール速度を求めることができる。
【０１５５】
続いて、変換処理部４２は、この第１の２次元画像データの次に入力される、心電図グラフＥＣＧ−Ｖ１の第２の２次元画像データに対する処理を行う。この第２の２次元画像データは、第１の２次元画像データのＴ０（＝０．２）秒後にシート型スキャナ１に読み取られた波形を表している。
【０１５６】
図１７は、第１の２次元画像データ及び第２の２次元画像データの形態を表している。図１７（Ａ）の第１の２次元画像データＧ１は、図１６の心電図グラフＥＣＧ−Ｖ１の２次元画像データと同じものである。図１７（Ｂ）の第２の２次元画像データＧ２に示す波形は、第１の２次元画像データＧ１の波形が、読取間隔Ｔ０に相当する距離だけ時間軸方向（紙面右方向）に移動したものとなっている（もちろん、紙面左側の時間位置には新たに検出された波形が追加されている。）。
【０１５７】
基準時間位置ＴＬは、シート型スキャナ１の情報読取面上の２次元座標系（ｘ，Ｙ）を用いて定義されているので、第２の２次元画像データＧ２についても同じ時間位置（ｘ＝１５０）に設定される。変換処理部４２は、第１の２次元画像データＧ１の場合と同様にして、基準時間位置ＴＬにおける電圧値を求めるとともに、認識間隔Ｗの各時間位置における電圧値を求める。それにより、認識間隔Ｗにおける心電図グラフＥＣＧ−Ｖ１の第２の２次元画像データＧ２の波形が取得される。
【０１５８】
次に、変換処理部４２は、第１の２次元画像データＧ１の認識間隔Ｗにおける波形と、第２の２次元画像データＧ２の認識間隔Ｗにおける画像とを同一画面上にさせる。このとき、ゼロレベルが等しくなるようにする。
【０１５９】
更に、変換処理部４２は、第２の２次元画像データＧ２を時間軸方向（ｘ軸方向）に移動させ、第１の２次元画像データＧ１に連結する。すなわち、第２の２次元画像データＧ２の基準時間位置ＴＬ（左端）を、第１の２次元画像データＧ１の認識間隔Ｗの右端に連結する。このとき、双方の端部の振幅が一致しない場合には、それらの平均値に置き換えるなどして、両画像データが滑らかな曲線を形成するように連結することが望ましい。なお、認識間隔Ｗが読取間隔Ｔ０よりも大きく設定されている場合には、それらの重複部分を重畳させて連結する。この場合にも、双方の重複部分の平均値を用いるなどして滑らかに連結することが望ましい。
【０１６０】
変換処理部４２は、スキャナ制御部２から順次に入力される心電図グラフＥＣＧ−Ｖ１の２次元画像データＧｊ（ｊ＝１、２、３、・・・）に対して、上述の処理を逐次に行うことにより、時間経過とともに変化する心電図グラフＥＣＧ−Ｖ１の波形（すなわち各時間位置における電圧値）を次々に取得していく。
【０１６１】
続いて、時刻算出部４２ａにより、心電図グラフＥＣＧ−Ｖ１の各時間位置に対応する、心電計１００１による検出時刻を算出する。それにより、各時間位置における電圧値の実際の検出時刻が得られる。以下、時刻算出部４２ａが実行する処理について説明する。
【０１６２】
まず、時刻算出部４２ａは、時間軸方向（ｘ方向）のピクセル間隔に対応する時間間隔Δｔを算出する。この処理は、たとえば、読取間隔Ｔ０に相当する時間軸方向の距離（認識間隔Ｗ等）に含まれるピクセル数（ピクセル間隔の個数）Ｋをカウントし、そのピクセル数Ｋで読取間隔Ｔ０を除算することにより求めることができる：Δｔ＝Ｔ０／Ｋ。
【０１６３】
時刻算出部４２ａは、以下の数式を用いることにより、基準時間位置ＴＬから時間軸方向にｎピクセル離れた時間位置Ｔｎに対応する実際の検出時刻ｔｎを求める。ここで、基準時間位置ＴＬにおける検出時刻ｔｓは、たとえば心電計１００１による検出開始時刻や基準時間位置ＴＬのｙ座標値（＝１５０）などに基づいて算出され、あらかじめ記憶部４１に記憶されている（図示省略）。
【０１６４】
基準時間位置ＴＬにおける検出時刻ｔｓと、参照テーブル４１ａに記録された遅延時間＝０．８と、１ピクセル当たりの時間間隔Δｔとを用いると、基準時間位置ＴＬから時間軸方向にｎピクセル離れた時間位置Ｔｎに対応する実際の検出時刻ｔｎは、ｔｎ＝ｔｓ−０．８＋ｎ×Δｔと表される。
【０１６５】
時刻算出部４２ａは、この数式のｎに１、２、３、・・・・をそれぞれ代入することにより、基準時間位置ＴＬから１ピクセル離れた時間位置Ｔ１に対応する検出時刻ｔ１、２ピクセル離れた時間位置Ｔ２に対応する検出時刻ｔ２、３ピクセル離れた時間位置Ｔ３に対応する検出時刻ｔ３、・・・・を算出する。
【０１６６】
変換処理部４２は、以上のようにして取得した心電図グラフＥＣＧ−Ｖ１の各時間位置における電圧値と検出時刻とに基づいて、所定のデータ形式の記録用データを作成する。この記録用データは、たとえば次のようなデータ形式のものである。
【０１６７】
ＥＣＧ−Ｖ１＝０．３２ｍＶ  ＤＡＴＥ＝２００５．６．１，
ＴＩＭＥ＝０１０：１２：２５．３２０
ＥＣＧ−Ｖ１＝０．３５ｍＶ  ＤＡＴＥ＝２００５．６．１，
ＴＩＭＥ＝０１０：１２：２５．３２５
ＥＣＧ−Ｖ１＝０．３９ｍＶ  ＤＡＴＥ＝２００５．６．１，
ＴＩＭＥ＝０１０：１２：２５．３３０
ＥＣＧ−Ｖ１＝０．５０ｍＶ  ＤＡＴＥ＝２００５．６．１，
ＴＩＭＥ＝０１０：１２：２５．３３５
ＥＣＧ−Ｖ１＝０．６２ｍＶ  ＤＡＴＥ＝２００５．６．１，
ＴＩＭＥ＝０１０：１２：２５．３４０
ＥＣＧ−Ｖ１＝０．６２ｍＶ  ＤＡＴＥ＝２００５．６．１，
ＴＩＭＥ＝０１０：１２：２５．３４５
・・・・・・・・・・・・・・・・・・・・・・・・・・・・・・・・
【０１６８】
この記録用データのデータ形式は、心電計１００１により検出された電圧値の時間変化を示すデータ列となっている。すなわち、この記録用データは、第１番目のデータ「ＥＣＧ−Ｖ１＝０．３２ｍＶ  ＤＡＴＥ＝２００５．６．１，ＴＩＭＥ＝０１０：１２：２５．３２０」、第２番目のデータ「ＥＣＧ−Ｖ１＝０．３５ｍＶ  ＤＡＴＥ＝２００５．６．１，ＴＩＭＥ＝０１０：１２：２５．３２５」、・・・・・によって構成されている。
【０１６９】
このデータ列を構成する各データは、心電計１００１の識別情報Ｖ１の電極による検出電圧を示す文字列「ＥＣＧ−Ｖ１」と、検査日（手術日）を示す文字列「ＤＡＴＥ」と、電圧の検出時刻を示す文字列「ＴＩＭＥ」とを含んでいる。そして、これらの各項目について、変換処理部４２によって取得された値を示す文字列が記録されている。
【０１７０】
たとえば、第１番目のデータは、当該電極により検出された電圧値を表す文字列「ＥＣＧ−Ｖ１＝０．３２ｍＶ」と、検査日を表す文字列「ＤＡＴＥ＝２００５．６．１」と、当該電圧値の検出時刻を表す文字列「ＴＩＭＥ＝０１０：１２：２５．３２０」とを含んで構成されている。なお、検査日に記録される年、月、日は、たとえばマイクロプロセッサのカレンダー機能から取得することができる。
【０１７１】
なお、変換処理部４２により作成される所定のデータ形式の記録用データは、上述したデータ列以外の情報を更に含んでいてもよい。たとえば、連続する２次元画像データＧｊ、Ｇ（Ｊ＋１）の認識間隔Ｗの部分を順次連結して再構成された心電図グラフの画像データなどを記録用データに含めることができる。
【０１７２】
（登録情報作成部）
登録情報作成部４３は、新たに記憶部４１に登録する参照テーブル４１ａを作成する処理を行う。以下、参照テーブル４１ａの作成方法を説明しつつ、この登録情報作成部４３の動作を説明する。なお、遅延時間「Ｌａｔｅｎｃｙ  ｔｉｍｅ」の欄には、所定の値があらかじめ登録されていてもよい。
【０１７３】
まず、読み取り対象の心電図グラフの表示領域を含むように、シート型スキャナ１をディスプレイ１００１ａに貼り付ける。次に、テスト信号生成部５にパルス信号を生成させて心電計１００１に印可して、ディスプレイ１００１ａに心電図グラフを表示させ、シート型スキャナ１で読み取る。スキャナ制御部２は、読み取られた心電図グラフの２次元画像データを情報処理部３に入力する。入力された２次元画像は、表示部７に表示される。
【０１７４】
制御部４０は、参照テーブル４１ａの新規作成用の画面を表示部７に表示させる。ユーザは、操作部８を用いて、参照テーブル４１ａの「Ｎａｍｅ」の欄、「Ｓｙｍｂｏｌ」の欄、「Ｔｙｐｅ」の欄に情報を入力する。登録情報作成部４３は、入力された情報を参照テーブル４１ａに記録する。
【０１７５】
なお、心電図グラフに関するこれらの情報が事前に特定されている場合には、これらの情報があらかじめ記録された参照テーブル４１ａを用意しておいてもよい。また、その他の欄については、シート型スキャナ１をディスプレイ１００１ａに貼り付ける度毎に、参照テーブル４１ａに登録を行う必要がある（過去の情報を利用できる場合を除く。）。
【０１７６】
次に、「Ｒｅｃｏｇｎｉｔｉｏｎ  ａｒｅａ  ｐｏｓｉｔｉｏｎ」の欄と、「Ｒｅｃｏｇｎｉｔｉｏｎ  ａｒｅａ  ｓｉｚｅ」の欄の登録を行う。そのために、たとえば、ユーザは、マウス等の操作部８を操作して、表示部７に表示された心電図グラフの画像上に読取領域Ｒを設定する。登録情報作成部４３は、設定された読取領域Ｒの左上端の座標値Ｑ１を「Ｒｅｃｏｇｎｉｔｉｏｎ  ａｒｅａ  ｐｏｓｉｔｉｏｎ」の欄に記録し、ｘ方向のサイズとｙ方向のサイズとを「Ｒｅｃｏｇｎｉｔｉｏｎ  ａｒｅａ  ｓｉｚｅ」の欄に記録する。
【０１７７】
続いて、ゼロレベル位置の設定を行う。そのために、たとえば、ユーザは、操作部（マウス等）を操作し、心電図グラフの画像ＥＣＧ−Ｖ１とともに表示部７に表示されるゼロレベル設定カーソルＺＣをｙ方向に移動させ、適当な位置に配置させる。登録情報作成部４３は、この位置のｙ座標をゼロレベル位置（Ｚｅｒｏ  ｌｅｖｅｌ  ｐｏｓｉｔｉｏｎ）の欄に記録する。この位置は、図１６に示すゼロレベルＺＬとして設定される。
【０１７８】
次は、基準時間位置の設定を行う。そのために、たとえば、ユーザは、操作部８（マウス等）を操作し、心電図グラフの画像ＥＣＧ−Ｖ１とともに表示部７に表示される基準時間位置設定カーソルＴＣをｘ方向に移動させ、適当な時間位置に配置させる（図１６参照）。登録情報作成部４３は、この時間位置のｘ座標を基準時間位置（Ｓｔａｎｄａｒｄ  ｔｉｍｅ  ｐｏｓｉｔｉｏｎ）の欄に記録する。この時間位置は、図１６に示す基準時間位置ＴＬとして設定される。また、登録情報作成部４３は、この基準時間位置ＴＬに対応する検出時刻を求めて記憶部４１に記憶させる（前述）。
【０１７９】
最後に、基準表示振幅値と基準電圧値の設定を行う。そのために、ユーザは、たとえば、操作部８（マウス等）を操作し、心電図グラフの画像ＥＣＧ−Ｖ１とともに表示部７に表示される基準振幅設定カーソルＡＣの上端部をｙ方向に移動させてカーソルＡＣの高さを調節する。なお、基準振幅設定カーソルＡＣの下端部は、ゼロレベルＺＬに固定配置されている。
【０１８０】
登録情報作成部４３は、この基準振幅設定カーソルＡＣの高さ（ゼロレベルＺＬから上端部までの距離若しくはピクセル数；本具体例ではそれらは同値である。）を求め、基準表示振幅値（Ｓｔａｎｄａｒｄ  ａｍｐｌｉｔｕｄｅ  ｏｎ  ｓｃｒｅｅｎ）の欄に記録する。
【０１８１】
また、登録情報作成部４３は、基準振幅設定カーソルＡＣの高さに相当する実際の電圧値を求め、基準電圧値（Ｒｅａｌ  ｓｔａｎｄａｒｄ  ａｍｐｌｉｔｕｄｅ）の欄に記録する。ここで、ｙ方向の距離（ピクセル数）と実際の電圧値との関係は既知であるとする。
【０１８２】
この関係を取得するためには、たとえば、テスト信号生成部５により電圧１ｍＶのパルス信号を生成して心電計１００１に印可する。このときにディスプレイ１００１ａに表示されるグラフは、電圧１ｍＶに相当する振幅を有する。このグラフをシート型スキャナ１で読み取って表示部７に表示させ、その振幅に相当するピクセル数をカウントする（またはｙ方向の距離を算出する）。この結果を「基準高さ」と呼ぶ。そして、この基準高さと電圧値１ｍＶとを等価な関係として互いに関連付けて記憶しておく。
【０１８３】
登録情報作成部４３は、基準振幅設定カーソルＡＣの高さを基準高さで除算し、１ｍＶを乗算することにより、この基準振幅設定カーソルＡＣの高さに相当する実際の電圧値を求めることができる。
【０１８４】
（処理態様）
このような構成を有する本具体例の医療情報システムによる文字列情報に対する処理態様の一例について、図１８のフローチャートを参照しつつ説明する。
【０１８５】
まず、心電図グラフの表示領域を含むように、心電計１００１のディスプレイ１００１ａにシート型スキャナ１を貼り付ける（Ｓ２１）。そして、上述の要領で、心電図グラフの参照テーブル４１ａを作成する（Ｓ２２）。このとき、登録情報作成部４３は、必要に応じて、基準時間位置ＴＬに対応する検出時刻や、表示部７に表示される心電図グラフのスクロール速度などを求めて記憶部４１に記憶させる。
【０１８６】
以上の準備が完了したら、心電図測定用の電極などを患者に取り付けて検査を開始する（Ｓ２３）。ディスプレイ１００１ａには、検出された患者の心拍数や血圧の値、心電図グラフなどが表示される。心電図グラフは、時間経過とともに波形を変化（スクロール）させる。
【０１８７】
表示された心電図グラフ（ＥＣＧ−Ｖ１）は、シート型スキャナ１によって読取間隔Ｔ０で逐次に読み取られる（Ｓ２４）。スキャナ制御部２は、逐次に読み取られた心電図グラフを２次元画像データとして情報処理部３に順次入力する（Ｓ２５）。
【０１８８】
変換処理部４２は、入力された２次元画像データについて、認識間隔Ｗ（図１６、図１７）の各時間位置における電圧値を求めるとともに（Ｓ２６）、連続する２次元画像データの認識間隔Ｗの部分を順次連結して読み取られた心電図グラフの２次元画像データを再構成し、その各時間位置における電圧値を求める（Ｓ２７）。
【０１８９】
時刻算出部４２ａは、心電図グラフの２次元画像データの各時間位置に対応する検出時刻を算出する（Ｓ２８）。変換処理部４２は、各時間位置について求めた電圧値と検出時刻とを用いて、所定のデータ形式の記録用データを作成する（Ｓ２９）。制御部４０は、作成された記録用データを情報記録部４に送信して記録させる（Ｓ３０）。以上で、心電図グラフの記録処理は終了となる。
【０１９０】
検査の終了後において、前述の記録文書を作成するときや検査（手術等）の検証や再現を行うときには、操作部８を操作するなどして、心電図グラフの記録用データを情報記録部４から読み出し、心電図グラフを再構成して表示部７に表示させることができる。
【０１９１】
心電図グラフは、前述のデータ列を用いて再構成することができる。すなわち、「ＴＩＭＥ」の項に記録された検出時間を横軸（時間軸）とし、「ＥＣＧ−Ｖ１」の項に記録された電圧値を縦軸（振幅方向）として各データをプロットすることにより、目的の心電図グラフを形成することができる。
【０１９２】
（作用・効果）
以上のように動作する本具体例の医療情報システムによれば、心電計１００１が表示する心電図グラフをシート型スキャナ１で読み取り、その読み取った情報を、記録用のデータ形式に変換して情報記録部４に記録することができるので、心電計１００１に表示される心電図グラフを自動的にかつ正確に取得して記録することが可能である。
【０１９３】
なお、本具体例においても、前述の文字列情報のケースと同様に警報を出力するように構成することができる。たとえば、心電計１００１により検出される電圧値が所定時間に亘って閾値以下になった場合に警報メッセージ等を出力して、患者の生体情報の異常を医師等に報知することができる。
【０１９４】
［具体例２：輸液ボトル］
本実施形態に係る医療情報システムの第２の具体例を説明する。この第２の具体例は、図１の医療部材１０００として輸液ボトルを適用したものである。なお、輸液バッグ等の医療部材についても、同様の構成によって同様の作用効果を実現することができる。
【０１９５】
図１９は、本具体例の全体構成の一例を表している。輸液ボトル１００２には、輸液製剤が充填されている。輸液ボトル１００２は、透明又は半透明のガラスやプラスティック等の材質から形成されており、輸液製剤の液面１００２ａの位置を外部から見て取ることができる。本具体例では、輸液ボトル１００２の側面にシート型スキャナ１を貼り付けて液面１００２ａの位置を読み取るようになっている。なお、輸液ボトル１００２の側面は曲面形状を有しているが、可撓性を特徴とするシート型スキャナ１を側面形状に合わせて貼り付けることにより、液面１００２ａの位置を正確に検出することが可能となる。
【０１９６】
（シート型スキャナの貼付態様）
輸液ボトル１００２に対するシート型スキャナ１の貼り付け態様の一例を図２０に示す。図２０（Ａ）に記載の貼り付け態様においては、輸液ボトル１００２の側面の残量目盛１００２ｂを覆う位置にシート型スキャナ１が貼り付けられている。この貼り付け態様は、輸液製剤の液面１００２ａの位置と残量目盛１００２ｂとを読み取ることにより、輸液ボトル１００２内の輸液製剤の量を検出する場合などに適用される。
【０１９７】
また、図２０（Ｂ）に記載の貼り付け態様においては、長細い形状のシート型スキャナ１を、その長手方向が上下方向に位置するようにして、輸液ボトル１００２の側面に貼り付けている。この貼り付け態様は、輸液製剤の残量の変化状態のみを検出する場合などに適用される。なお、この貼り付け態様を採用する場合、２０（Ａ）の場合と比べて小型のシート型スキャナ１を用いることができるので、コストの低減を図ることが可能である。
【０１９８】
（制御系の構成）
図２１のブロック図は、輸液ボトル１００２内の輸液製剤の残量や投与速度を監視して警告を出力したり、輸液投与に関する情報（輸液製剤の種類、投与時刻、投与量、投与速度等）を情報記録部４に記録したりするための、本システムの制御系の構成の一例を表している。
【０１９９】
情報処理部３は、制御部５０、記憶部５１、変換処理部５２及び登録情報作成部５３を備えている。
【０２００】
制御部５０は、情報処理部３の各種動作の制御を行うためのマイクロプロセッサ、メモリ、ＲＯＭ、ハードディスクドライブ等を含んで構成される。ハードディスクドライブには、この具体例の処理を実行するためのコンピュータプログラム（医療情報処理プログラム）があらかじめ格納されている。マイクロプロセッサは、このコンピュータプログラムをメモリに展開することで目的の処理を実行する。
【０２０１】
（記憶部）
記憶部５１は、情報処理部３が目的の処理を行うために参照する登録情報５１ａ等の各種の情報を記憶するハードディスクドライブ等の不揮発性記憶装置によって構成されている。
【０２０２】
登録情報５１ａには、輸液製剤の液面１００２ａの位置を決定するための基準となる位置を示す情報（液面基準位置情報）が含まれている。この液面基準位置情報は、たとえば、シート型スキャナ１に定義された２次元座標系（ｘ，ｙ）を用いて、ｙ＝基準位置＝ｙ０と設定することができる（図２０参照）。ここで、図２０に示すシート型スキャナ１は、ｙ方向が鉛直下方を向くようにして輸液ボトル１００２の側面に貼り付けられている。液面１００２ａの基準位置ｙ＝ｙ０は、たとえば、シート型スキャナ１の上端位置や下端位置、若しくは、図２０（Ａ）に示す残量目盛１００２ｂのいずれかの目盛位置などに設定することができる。
【０２０３】
また、登録情報５１ａには、輸液製剤の残量の閾値や、投与速度の正常範囲など、輸液製剤の投与に関する各種の閾値情報が含まれている。残量の閾値は、たとえば残量の容積の閾値Ｖ０や、ｙ座標値ｙ＝ｙｒなどによって定義される。また、投与速度の範囲は、残量の減少速度や、ｙ座標値の降下速度等を示す投与速度ｖについて、たとえばｖ１≦ｖ≦ｖ２のように上限と下限が定義される。これらの閾値情報は、たとえば輸液製剤の種類毎に設定される。
【０２０４】
また、図２０（Ａ）に示す残量目盛１００２ｂ等の文字列情報を読み取って処理する場合には、前述の具体例１で説明した文字関連情報３１ａや参照テーブル３１ｂ（図８、図９参照）を含んだ登録情報５１ａをあらかじめ作成して記憶する。
【０２０５】
（変換処理部）
変換処理部５２は、スキャナ制御部２から情報処理部３に入力された医療情報のデータ形式を変換する処理を行う。本具体例の情報処理部３に入力される医療情報には、図２０（Ａ）の残量目盛１００２ｂ等の文字列情報や、輸液製剤の液面１００２ａの位置（高さ）などの情報がある。文字列情報については、変換処理部５２は、具体例１の変換処理部３２と同様に動作して認識処理やデータ形式変換処理を行う。
【０２０６】
また、液面１００２ａの位置については、変換処理部５２は、スキャナ制御部２から入力される２次元画像データと、登録情報５１ａの液面位置基準情報とに基づいて、読み取られた液面１００２ａの位置を決定するとともに、必要に応じて、その液面位置を所定のデータ形式に変換する。
【０２０７】
この液面位置に関する処理の具体例を説明する。まず、変換処理部５２は、スキャナ制御部２からの２次元画像データにおける液面１００２ａの位置ｙ＝ｙ１を検出する。液面１００２ａよりも上方と下方では透過率や屈折率等の光学特性が異なるので、２次元画像データは、液面１００２ａの上下で異なる輝度（明るさ）を有している。変換処理部５２は、２次元画像データの輝度値をｙ方向に沿って確認し、輝度値が変化するｙ座標位置を特定する。この特定されたｙ座標位置を液面位置ｙ１とする。そして、この液面位置ｙ＝ｙ１と液面基準位置情報のｙ座標ｙ＝ｙ０との差を求めることにより、基準位置ｙ０に基づく液面１００２ａの位置を決定する。また、基準位置ｙ＝ｙ０と残量の容積とが関連付けられている場合には、決定された液面位置から残量の容積Ｖを求めることができる。
【０２０８】
図２０（Ａ）に示す残量目盛１００２ｂの認識を行う場合には、輸液製剤の残量を別の方法で求めることができる。たとえば、上述の要領で液面位置ｙ＝ｙ１を決定するとともに、この液面位置ｙ１の上下に位置する２つの目盛を認識し、それぞれのｙ座標値を求める（ｙ２＜ｙ１＜ｙ３とする。）。そして、たとえば比（ｙ１−ｙ２）：（ｙ３−ｙ１）と、２つの目盛の値とを用いることにより残量を算出できる。
【０２０９】
一例として、図２０（Ａ）に示すように、液面位置ｙ＝ｙ１が、位置ｙ＝ｙ２の目盛＝１５０と位置ｙ＝ｙ３の目盛＝２００との間にある場合、比（ｙ１−１５０）：（２００−ｙ１）＝ａ：ｂとすると、液面位置ｙ＝ｙ１は、目盛＝１５０と目盛＝２００とをａ：ｂに内分する位置に特定される。また、輸液薬剤の残量（容積）Ｖ＝１５０＋５０×ａ／（ａ＋ｂ）となる。
【０２１０】
さて、変換処理部５２には、残量判断部５２ａと投与速度処理部５２ｂが設けられている。残量判断部５２ａは、輸液薬剤の残量が閾値よりも多いか少ないかを判断する。そのために、残量判断部５２ａは、たとえば上述のようにして求められた輸液薬剤の残量の容積Ｖ若しくは液面１００２ａのｙ座標値ｙ＝ｙ１と、登録情報５１ａの閾値情報とを比較し、それらの大小関係を判断する。残量の容積を判断基準とする場合、残量判断部５２ａは、求められた残量の容積Ｖと、登録情報５１ａに含まれる容積の閾値Ｖ０との大小関係を判断する。一方、ｙ座標値を判断基準とする場合には、求められた液面１００２ａのｙ座標値ｙ＝ｙ１と、登録情報５１ａに含まれるｙ座標値の閾値ｙ＝ｙｒとの大小関係を判断する。
【０２１１】
投与速度処理部５２ｂは、投与速度の算出処理と、その算出結果が正常範囲に含まれているか否かの判断処理とを行う。ところで、シート型スキャナ１は、前述のように一定の間隔Ｔ０（たとえば０．２秒間隔）で医療情報を読み取る。投与速度処理部５２ｂは、所定の時間間隔を介した時刻ｔ、ｔ′について、時刻ｔに読み取られた結果に基づく残量の容積Ｖ（ｔ）（ｙ座標値ｙ＝ｙ１（ｔ））と、時刻ｔ′に読み取られた結果に基づく残量の容積Ｖ（ｔ′）（ｙ座標値ｙ＝ｙ１（ｔ′））との差を求め、この差をｔ−ｔ′で除算して、この間における投与速度ｖを求める。更に、投与速度処理部５２ｂは、求めた投与速度ｖが、登録情報５１ａに示す範囲［ｖ１，ｖ２］に含まれているかを判断する。
【０２１２】
（登録情報作成部）
登録情報作成部５３は、ユーザが操作部８を操作して入力した各種の設定情報を基に登録情報５１ａを作成し、記憶部５１に記憶させる。登録情報５１ａの内容の具体例については前述した。
【０２１３】
（処理態様）
このような構成を有する本具体例の医療情報システムが実行する処理態様の一例について、図２２のフローチャートを参照しつつ説明する。
【０２１４】
まず、輸液ボトル１００２の側面にシート型スキャナ１を貼り付け（Ｓ３１）、登録情報５１ａの作成を行う（Ｓ３２）。
【０２１５】
患者に対する輸液製剤の投与を開始すると（Ｓ３３）、輸液製剤の液面１００２ａはゆっくりを下降していく。シート型スキャナ１は、所定の読取間隔Ｔ０で、液面１００２ａの位置（必要に応じて残量目盛１００２ｂも）を読み取る（Ｓ３４）。スキャナ制御部２は、その読み取り結果を受けて、輸液ボトル１００２の側面の形態を表す２次元画像データを情報処理部３に順次入力する（Ｓ３５）。
【０２１６】
変換処理部５２は、入力された２次元画像データを解析して、輸液製剤の液面１００２ａのｙ座標値ｙ＝ｙ１を特定する（Ｓ３６）。このとき、必要に応じて、輸液製剤の残量の容積Ｖについても算出する。残量判断部５２ａは、特定された液面１００２ａのｙ座標値ｙ＝ｙ１が、登録情報５１ａに示す液面１００２ａの閾値のｙ座標値ｙ＝ｙｒよりも大きいか（つまり下方にあるか）否かを判断する（Ｓ３７）。このとき、残量の容積Ｖが、残量の容積の閾値Ｖ０より小さいか否かを判断するようにしてもよい。
【０２１７】
ｙ１＞ｙｒ（残量が閾値未満）である場合（Ｓ３７；Ｙ）、制御部５０は、表示部７に所定の警告メッセージを表示させるなどして医師等に報知する（Ｓ５１）。変換処理部５２は、警告情報が出力されたことを示す所定のデータ形式の記録用データを作成する（Ｓ５２）。制御部５０は、その記録用データを情報記録部４に送信して記録させる（Ｓ５３）。以上で、処理は終了となる。
【０２１８】
一方、ｙ１≦ｙｒ（残量が閾値以上）である場合（Ｓ３７；Ｎ）、投与速度処理部５２ｂは、輸液製剤の投与速度ｖを算出し（Ｓ３８）、その投与速度ｖが、登録情報５１ａに示す範囲［ｖ１，ｖ２］に含まれるか判断する（Ｓ３９）。
【０２１９】
投与速度ｖが範囲［ｖ１，ｖ２］に含まれない場合（Ｓ３９；Ｎ）、制御部５０は、表示部７に所定の警告メッセージを表示させるなどして医師等に報知する（Ｓ５１）。変換処理部５２は、警告情報が出力されたことを示す所定のデータ形式の記録用データを作成する（Ｓ５２）。制御部５０は、その記録用データを情報記録部４に送信して記録させる（Ｓ５３）。以上で、処理は終了となる。
【０２２０】
一方、投与速度ｖが範囲［ｖ１，ｖ２］に含まれる場合（Ｓ３９；Ｙ）、変換処理部５２は、たとえば、輸液製剤の識別情報（名称、薬剤ＩＤ等）、ｙ座標値ｙ＝ｙ１、残量の容積Ｖ、投与速度、年月日等の情報を含む所定のデータ形式の記録用データを作成する（Ｓ４０）。制御部５０は、その記録用データを情報記録部４に送信して記録させる（Ｓ４１）。以上で、処理は終了となる。
【０２２１】
（作用・効果）
以上のように動作する本具体例の医療情報システムによれば、輸液ボトル１００２の側面の形態（液面位置や残量目盛等）をシート型スキャナ１で読み取り、その読み取った情報を、記録用のデータ形式に変換して情報記録部４に記録することができるので、輸液製剤の液面位置、残量の容積、投与速度など、輸液製剤の投与の状況を自動的にかつ正確に取得して記録することが可能である。
【０２２２】
また、輸液製剤の残量が少なくなったときや、投与速度が速すぎたり遅すぎたりする場合に、警報情報を出力するように構成されているので、手術等の処置の安全性の向上を図ることができる。
【０２２３】
［医療情報処理プログラム］
上記の各実施形態においては、本発明に係る医療情報処理プログラムを、情報処理部３を形成するコンピュータのハードディスクドライブに記憶させるようにした。この医療情報処理プログラムは、コンピュータ読み取り可能な任意の記憶媒体に記憶させて使用することができる。例えば、光ディスク、光磁気ディスク（ＣＤ−ＲＯＭ／ＤＶＤ−ＲＡＭ／ＤＶＤ−ＲＯＭ／ＭＯ等）、磁気記憶媒体（ハードディスク／フロッピー（登録商標）ディスク／ＺＩＰ等）などの任意の記憶媒体に記憶させることが可能である。
【０２２４】
また、情報処理部３がＬＡＮ等のネットワークに接続されている場合には、そのネットワーク上のサーバ装置に医療情報処理プログラムを記憶させておき、情報処理部３は、このサーバ装置のクライアントとして、医療情報処理プログラムを利用するように構成することが可能である。
【０２２５】
［システムの運用形態］
以上に説明した医療情報システムの運用例を図２３、図２４に示す（本出願人による前述の特許文献１参照：特開２００４−２８０４５５号公報）。この医療情報システムは、手術時に発生する様々な事象の情報を時系列に記録するシステムである。この医療情報システムは、各種の医療情報を検出するための様々なセンサからなるセンサ群１１と、このセンサ群１１から検出信号の入力を受ける情報収集・記録サーバ１２と、表示装置１３とを備えている。
【０２２６】
センサ群１１には、各種の医療機器の動作状況を検出するセンサ２１ａ〜２１ｎと、撮影用のカメラ２２ａ〜２２ｎと、医師等のバイタルを検出するセンサ２３ａ〜２３ｎと、音声を検出するマイクロフォン２４ａ〜２４ｎと、手術室へのスタッフの出入りを検出するセンサ２５と、患者のバイタルを検出するセンサ２６ａ〜２６ｎと、患者の識別情報を検出するセンサ２７とが含まれている。
【０２２７】
医療機器の動作状況を確認するためのセンサ２１ａ〜２１ｎとしては、点滴の滴下モニターセンサ、ベッドの角度センサ、吸引機のセンサ、電気メスのセンサ、ベッドウォーマの温度センサ、麻酔システムのセンサ、ナビゲータのセンサ、アース電流センサ、医療機器の電源の確認センサ、医療機器のダイヤルやスイッチ設定の確認センサなどがある。
【０２２８】
撮影用のカメラ２２ａ〜２２ｎとしては、器械台カメラ、広角カメラ、術野カメラ、麻酔医カメラ、無影カメラ、ヘッドマウントカメラなどがある。
【０２２９】
医師のバイタルを検出するためのセンサ２３ａ〜２３ｎとしては、心拍、唾液中のアドレナリン（ストレスホルモン）、脳波、体温、血圧などを検出するセンサ、目のまばたきを検出するセンサ、加速度センサ、発汗を検出するセンサ、圧力、湿度などを検出するセンサなどがある。本発明に係る構成は、これらのセンサ２３ａ〜２３ｎに適宜に応用することが可能である。
【０２３０】
手術室への人の出入りを検出するセンサ２５としては、手術室のドアの開閉をモニタするセンサやＩＤカードリーダなどがある。
【０２３１】
患者の生体情報を検出するセンサ２６ａ〜２６ｎとしては、心電図モニタ、麻酔モニタのセンサ、ＢＩＳ（麻酔深度）モニタ、脳神経モニタなどがある。本発明に係る構成は、これらのセンサ２６ａ〜２６ｎについても適宜に応用することが可能である。
【０２３２】
患者の識別情報を検出するセンサ２７としては、指紋認識センサ、虹彩認識センサ、電子カルテシステム、リストバンドなどがある。
【０２３３】
情報収集・記録サーバ１２は、センサ群１１の各センサ２１〜２７から送られてくる信号の入力を受け、その信号に同じクロック（時間情報）に基づくタイムスタンプ処理を施してハードディスクドライブ、ＣＤ−Ｒ、ＤＶＤ−Ｒ等の任意の記録媒体に記録するようになっている。この情報収集・記録サーバ１２は、前述の実施形態における情報処理部３、情報記憶部４、警告出力部６（表示部７）、操作部８等を含むものである。
【０２３４】
以上に詳述した構成は、本発明に係る医療情報システム及び医療情報処理プログラムを好適に実施するための一例に過ぎないものである。したがって、本発明の要旨の範囲内における任意の変形を適宜に施すことが可能である。
【図面の簡単な説明】
【０２３５】
【図１】本発明に係る医療情報システムの好適な実施の形態の全体構成の一例を表す概略ブロック図である。
【図２】本発明に係る医療情報システムの好適な実施の形態におけるシート型スキャナの貼付態様の一例を表す概略図である。図２（Ａ）は、シート型スキャナ及びディスプレイを正面説明図である。図２（Ｂ）は、シート型スキャナの構成の一例を表す概略断面図である。
【図３】本発明に係る医療情報システムの好適な実施の形態におけるシート型スキャナの構成の一例を表す概略断面図である。
【図４】本発明に係る医療情報システムの好適な実施の形態におけるシート型スキャナの構成の一例を表す概略断面図である。
【図５】本発明に係る医療情報システムの好適な実施の形態におけるシート型スキャナの構成の一例を表す概略断面図である。
【図６】本発明に係る医療情報システムの好適な実施の形態におけるシート型スキャナの構成の一例を表す概略断面図である。
【図７】本発明に係る医療情報システムの好適な実施の形態を心電計に適用した第１の具体例の全体構成の一例を表す概略ブロック図である。
【図８】本発明に係る医療情報システムの好適な実施の形態を心電計に適用した第１の具体例の制御系の構成の一例を表す概略ブロック図である。
【図９】本発明に係る医療情報システムの好適な実施の形態を心電計に適用した第１の具体例において参照される参照テーブルの一例のデータ構成の概要を表す図である。
【図１０】本発明に係る医療情報システムの好適な実施の形態を心電計に適用した第１の具体例において、心電計に表示された心拍数をシート型スキャナで読み取るときの読み取り形態を説明するための概略説明図である。
【図１１】本発明に係る医療情報システムの好適な実施の形態を心電計に適用した第１の具体例が実行する処理態様の一例を表すフローチャートである。
【図１２】本発明に係る医療情報システムの好適な実施の形態を心電計に適用した第１の具体例の全体構成の一例を表す概略ブロック図である。
【図１３】本発明に係る医療情報システムの好適な実施の形態を心電計に適用した第１の具体例の制御系の構成の一例を表す概略ブロック図である。
【図１４】本発明に係る医療情報システムの好適な実施の形態を心電計に適用した第１の具体例において参照される参照テーブルの一例のデータ構成の概要を表す図である。
【図１５】本発明に係る医療情報システムの好適な実施の形態を心電計に適用した第１の具体例において、心電計に表示された心電図グラフをシート型スキャナで読み取るときの読み取り形態を説明するための概略説明図である。
【図１６】本発明に係る医療情報システムの好適な実施の形態を心電計に適用した第１の具体例において、心電計に表示された心電図グラフを認識するために設定される情報を説明するための概略説明図である。
【図１７】本発明に係る医療情報システムの好適な実施の形態を心電計に適用した第１の具体例による心電図グラフの認識処理を説明するための概略説明図である。
【図１８】本発明に係る医療情報システムの好適な実施の形態を心電計に適用した第１の具体例が実行する処理態様の一例を表すフローチャートである。
【図１９】本発明に係る医療情報システムの好適な実施の形態を輸液ボトルに適用した第２の具体例の全体構成の一例を表す概略ブロック図である。
【図２０】本発明に係る医療情報システムの好適な実施の形態を輸液ボトルに適用した第２の具体例におけるシート型スキャナの貼付態様の一例を表す概略図である。
【図２１】本発明に係る医療情報システムの好適な実施の形態を輸液ボトルに適用した第２の具体例の制御系の構成の一例を表す概略ブロック図である。
【図２２】本発明に係る医療情報システムの好適な実施の形態を輸液ボトルに適用した第２の具体例が実行する処理態様の一例を表すフローチャートである。
【図２３】本発明に係る医療情報システムの運用例を表す概略ブロック図である。
【図２４】本発明に係る医療情報システムの運用例を表す概略図である。
【符号の説明】
【０２３６】
１  シート型スキャナ
１ａ、１ｄ  （半）透明フィルム
１ｂ  スキャナ部
１ｃ  低粘着フィルム
１ｅ  光センサ
１ｆ、１ｇ  偏光フィルム
２  スキャナ制御部
３  情報処理部
３０、４０、５０  制御部
３１、４１、５１  記憶部
３１ａ  文字関連情報
３１ｂ、４１ａ  参照テーブル
５１ａ  登録情報
３２、４２、５２  変換処理部
３２ａ  文字変換部
４２ａ  時刻算出部
５２ａ  残量判断部
５２ｂ  投与速度処理部
３３、４３、５３  登録情報作成部
４  情報記録部
５  テスト信号生成部
６  警告出力部
７  表示部
８  操作部
１０００  医療装置
１００１  心電計
１００１ａ  ディスプレイ
１００２  輸液ボトル
１００２ａ  輸液製剤の液面
１１００  情報呈示部
【図１】
2007179339.tif 000003
【図２】
2007179339.tif 000004
【図３】
2007179339.tif 000005
【図４】
2007179339.tif 000006
【図５】
2007179339.tif 000007
【図６】
2007179339.tif 000008
【図７】
2007179339.tif 000009
【図８】
2007179339.tif 000010
【図９】
2007179339.tif 000011
【図１０】
2007179339.tif 000012
【図１１】
2007179339.tif 000013
【図１２】
2007179339.tif 000014
【図１３】
2007179339.tif 000015
【図１４】
2007179339.tif 000016
【図１５】
2007179339.tif 000017
【図１６】
2007179339.tif 000018
【図１７】
2007179339.tif 000019
【図１８】
2007179339.tif 000020
【図１９】
2007179339.tif 000021
【図２０】
2007179339.tif 000022
【図２１】
2007179339.tif 000023
【図２２】
2007179339.tif 000024
【図２３】
2007179339.tif 000025
【図２４】
2007179339.tif 000026